(57)【要約】      （修正有）【課題】ＵＲＬＬＣの低遅延・高信頼性を担保することが可能な基地局装置、端末装置及び通信方法を提供する。【解決手段】基地局装置は、第１と第２のDCIフォーマットとRRC情報を検出する受信部とRRC情報に含まれる無線リソースの周期と第１のDCIフォーマットのアクティベーションで使用可能になる第１の上りリンクグラントと、RRC情報に含まれる無線リソースの周期と第２のDCIフォーマットのアクティベーションで使用可能になる第２の上りリンクグラントと、第２のDCIフォーマットの検出後に使用可能になる３の上りリンクグラントのいずれかによるデータ送信が可能な送信部と、を備える。複数のDCIフォーマットを検出し、送信部は第３の上りリンクグラントが第２の上りリンクグラントと時間領域で重複した場合にオーバライドし、第１の上りリンクグラントが第３の上りリンクグラントと時間領域で重複した場合にオーバライドする。【選択図】図３
2019186675.tif 000002
【特許請求の範囲】
【請求項１】
基地局装置と通信を行う端末装置であって、
第１のDCIフォーマット、第２のDCIフォーマットとRRC情報を検出する受信部と、前記RRC情報に含まれる無線リソースの周期と前記第１のDCIフォーマットで周期的な無線リソ
ースのアクティベーションの後に使用可能になる設定された上りリンクグラントである第１の上りリンクグラントと、前記RRC情報に含まれる無線リソースの周期と前記第２のDCIフォーマットで周期的な無線リソースのアクティベーションの後に使用可能になる設定された上りリンクグラントである第２の上りリンクグラントと、前記第２のDCIフォーマッ
トに含まれる周期的でない無線リソースの割当情報を検出後に使用可能になるC-RNTI宛ての上りリンクグラントによる第３の上りリンクグラントのいずれかによるデータ送信が可能な送信部と、を備え、
前記受信部は、前記第１の上りリンクグラントのための前記第１のDCIフォーマットと
、前記第２の上りリンクグラントのための前記第２のDCIフォーマットと、前記第３の上
りリンクグラントのための前記第２のDCIフォーマットのうち少なくとも２つを検出し、
前記送信部は、前記第３の上りリンクグラントのC-RNTI宛ての上りリンクグラントが前記第２の上りリンクグラントの設定された上りリンクグラントと時間領域で重複した場合に前記第２の上りリンクグラントの設定された上りリンクグラントをオーバライドし、前記第１の上りリンクグラントの設定された上りリンクグラントが前記第３の上りリンクグラントのC-RNTI宛ての上りリンクグラントと時間領域で重複した場合に前記第３の上りリンクグラントのC-RNTI宛ての上りリンクグラントをオーバライドすることを特徴とする端末装置。
【請求項２】
前記第１のDCIフォーマットに含まれる周期的でない無線リソースの割当情報を検出後
に使用可能になるC-RNTI宛ての上りリンクグラントによる第４の上りリンクグラントのデータ送信が可能であって、
前記受信部は、前記第１の上りリンクグラントのための前記第１のDCIフォーマットと
、前記第４の上りリンクグラントのための前記第１のDCIフォーマットを検出し、
前記送信部は、前記第４の上りリンクグラントのC-RNTI宛ての上りリンクグラントが前記第１の上りリンクグラントの設定された上りリンクグラントと時間領域で重複した場合に前記第１の上りリンクグラントの設定された上りリンクグラントをオーバライドすることを特徴とする請求項１に記載の端末装置。
【請求項３】
前記送信部は前記第１のDCIフォーマットと前記第２のDCIフォーマットの受信なく、前記RRC情報にデータ送信する無線リソースの割当情報が含まれ、設定された上りリンクグ
ラントである第５の上りリンクグラントのデータ送信が可能であり、
前記送信部は、前記第３の上りリンクグラントのC-RNTI宛ての上りリンクグラントが前記第５の上りリンクグラントの設定された上りリンクグラントと時間領域で重複した場合に、前記第５の上りリンクグラントのための前記RRC情報に含まれる時間領域のリソース
割当て、無線リソースの周期、時間領域のオフセットの少なくとも一つの情報に応じて、少なくとも重複するＯＦＤＭシンボルでは前記第３の上りリンクグラントと前記第５の上りリンクグラントのいずれを使用するかを決定することを特徴とする請求項１に記載の端末装置。
【請求項４】
前記第１の上りリンクグラントの設定された上りリンクグラントが前記第３の上りリンクグラントのC-RNTI宛ての上りリンクグラントと時間領域で重複するとは、前記第１の上りリンクグラントによるデータ送信で使用するＯＦＤＭシンボルと前記第３の上りリンクグラントによるデータ送信で使用するＯＦＤＭシンボルの少なくとも一部が重複することを特徴とする請求項１に記載の端末装置。
【請求項５】
前記第１のDCIフォーマットに含まれるＭＣＳのフィールドのビット数は前記第２のDCIフォーマットに含まれるＭＣＳのフィールドのビット数より少ないことを特徴とする請求項１に記載の端末装置。
【発明の詳細な説明】
【技術分野】
【０００１】
本発明は、基地局装置、端末装置およびその通信方法に関する。
【背景技術】
【０００２】
近年、第５世代移動通信システム（5G: 5th Generation mobile telecommunication systems）が注目されており、主に多数の端末装置によるＭＴＣ（mMTC；Massive Machine Type Communications）、超高信頼・低遅延通信（URLLC；Ultra-reliable and low latency communications）、大容量・高速通信（eMBB；enhanced Mobile BroadBand）を実現す
る通信技術の仕様化が見込まれている。３ＧＰＰ（3rd Generation Partnership Project）では、５Ｇの通信技術としてＮＲ（New Radio）の検討が行われており、NRのマルチア
クセス(MA: Multiple Access)の議論が進められている。
【０００３】
５Ｇでは、これまでネットワークに接続されていなかった多様な機器を接続するＩｏＴ（Internet of Things）の実現が見込まれ、ｍＭＴＣの実現が重要な要素の一つになっている。３ＧＰＰにおいて、小さいサイズのデータ送受信を行う端末装置を収容するＭＴＣ（Machine Type Communication）として、Ｍ２Ｍ（Machine-to-Machine）通信技術の標準化が既に行われている（非特許文献１）。さらに、低レートでのデータ送信を狭帯域でサポートするため、ＮＢ−ＩｏＴ（Narrow Band-IoT）の仕様化が行われている（非特許文
献２）。５Ｇでは、これらの標準規格よりもさらなる多数端末の収容を実現すると共に、超高信頼・低遅延通信が必要なIoTの機器も収容することが期待されている。
【０００４】
一方、３ＧＰＰで仕様化されているＬＴＥ（Long Term Evolution）、ＬＴＥ−Ａ（LTE-Advanced）等の通信システムにおいて、端末装置（ＵＥ：User Equipment）は、ランダ
ムアクセスプロシージャ（Random Access Procedure）やスケジューリング要求（ＳＲ：Scheduling Request）等を使用して、基地局装置（ＢＳ；Base Station、ｅＮＢ；evolved
Node Bとも呼称される）に、上りリンクのデータを送信するための無線リソースを要求
する。前記基地局装置は、ＳＲを基に各端末装置に上り送信許可（ＵＬ  Ｇｒａｎｔ）を与える。前記端末装置は、前記基地局装置から制御情報のＵＬ  Ｇｒａｎｔを受信すると、そのＵＬ  Ｇｒａｎｔに含まれる上りリンク送信パラメータに基づき、所定の無線リソースで上りリンクのデータを送信する（Scheduled access、grant-based access、ダイナミックスケジューリングによる伝送と呼ばれる、以下スケジュールドアクセスとする）。このように、基地局装置は、全ての上りリンクのデータ送信を制御する（基地局装置は、各端末装置よって送信される上りリンクのデータの無線リソースを把握している）。スケジュールドアクセスにおいて、基地局装置が上りリンク無線リソースを制御することにより、直交多元接続（ＯＭＡ：Orthogonal Multiple Access）を実現できる。
【０００５】
５ＧのｍＭＴＣでは、スケジュールドアクセスを用いると制御情報量が増大することが問題である。また、ＵＲＬＬＣではスケジュールドアクセスを用いると遅延が長くなることが問題である。そこで、端末装置がランダムアクセスプロシージャもしくはＳＲ送信をしない、かつＵＬ  Ｇｒａｎｔ受信等を行うことなくデータ送信を行うグラントフリーアクセス（grant free access、grant less access、Contention-based access、Autonomous accessやResource allocation for uplink transmission without grant、type1 configured grant transmissionなどとも呼称される、以下、グラントフリーアクセスとする）やSemi-persistent scheduling(SPS、Type2 configured grant transmissionなどとも呼
称される)の活用が検討されている（非特許文献３）。グラントフリーアクセスでは、多
数デバイスが小さいサイズのデータの送信を行う場合でも、制御情報によるオーバーヘッドの増加を抑えることができる。さらに、グラントフリーアクセスでは、ＵＬ  Ｇｒａｎ
ｔ受信等を行わないため、送信データの発生から送信までの時間を短くできる。また、SPSでは一部の送信パラメータを上位層の制御情報で通知し、上位層で通知していない送信
パラメータと共に周期的なリソースの使用許可を示すアクティベーションのＵＬ  Ｇｒａｎｔで通知することでデータ送信が可能となる。
【０００６】
一方、下りリンクでは、ｅＭＢＢのデータ送信のために割当て済みのリソースをＵＲＬＬＣのデータ送信のために使用することができる。基地局装置は、下りリンクのｅＭＢＢの宛先のＵＥに対して、Ｐｒｅ−ｅｍｐｔｉｏｎの制御情報を通知し、Ｐｒｅ−ｅｍｐｔｉｏｎしたリソースを下りリンクのＵＲＬＬＣのデータ送信に使う。一方、下りリンクのデータ受信のスケジューリングをされたリソースに対するＰｒｅ−ｅｍｐｔｉｏｎの制御情報を検出した端末装置は、Ｐｒｅ−ｅｍｐｔｉｏｎで指定されるリソースに自局宛ての下りリンクのデータがないと判断する。上りリンクにおいても異なる端末装置間でｅＭＢＢとＵＲＬＬＣのデータの多重の検討が行われている。また、１つの端末装置がｅＭＢＢとＵＲＬＬＣのトラフィックを有する場合に、ｅＭＢＢとＵＲＬＬＣのデータの多重についても検討されている。
【先行技術文献】
【非特許文献】
【０００７】
【非特許文献１】3GPP， TR36.888 V12.0.0， “Study on provision of low-cost Machine-Type Communications (MTC) User Equipments (UEs) based on LTE,” Jun. 2013
【非特許文献２】3GPP， TR45.820 V13.0.0， “Cellular system support for ultra-low complexity and low throughput Internet of Things (CIoT),” Aug. 2015
【非特許文献３】3GPP，TS38.214 V2.0.0， “Physical layer procedures for data (Release 15),” Dec. 2017
【発明の概要】
【発明が解決しようとする課題】
【０００８】
グラントフリーアクセスもしくはＳＰＳはＵＲＬＬＣのデータ送信のために使われることが想定されており、スケジュールドアクセスはｅＭＢＢのデータ送信のために使われることが想定される。しかしながら、グラントフリーアクセスもしくはＳＰＳのリソースとスケジュールドアクセスのリソースが時間領域で重複（少なくとも一部のＯＦＤＭシンボルで重複）する場合、スケジュールドアクセスが使用される。この場合、端末装置は低遅延が要求されるＵＲＬＬＣのデータ送信よりも比較的遅延時間の要求条件が緩いｅＭＢＢのデータ送信をするという問題がある。
【０００９】
本発明はこのような事情を鑑みてなされたものであり、その目的は、遅延時間の要求条件に応じたデータ送信の優先度に基づくデータ送信を実現することが可能な基地局装置、端末装置及び通信方法を提供することにある。
【課題を解決するための手段】
【００１０】
上述した課題を解決するために本発明に係る基地局装置、端末装置および通信方法の構成は、次の通りである。
【００１１】
（１）本発明の一態様は、基地局装置と通信を行う端末装置であって、第１のDCIフォ
ーマット、第２のDCIフォーマットとRRC情報を検出する受信部と、前記RRC情報に含まれ
る無線リソースの周期と前記第１のDCIフォーマットで周期的な無線リソースのアクティ
ベーションの後に使用可能になる設定された上りリンクグラントである第１の上りリンクグラントと、前記RRC情報に含まれる無線リソースの周期と前記第２のDCIフォーマットで周期的な無線リソースのアクティベーションの後に使用可能になる設定された上りリンクグラントである第２の上りリンクグラントと、前記第２のDCIフォーマットに含まれる周
期的でない無線リソースの割当情報を検出後に使用可能になるC-RNTI宛ての上りリンクグラントによる第３の上りリンクグラントのいずれかによるデータ送信が可能な送信部と、を備え、前記受信部は、前記第１の上りリンクグラントのための前記第１のDCIフォーマ
ットと、前記第２の上りリンクグラントのための前記第２のDCIフォーマットと、前記第
３の上りリンクグラントのための前記第２のDCIフォーマットのうち少なくとも２つを検
出し、前記送信部は、前記第３の上りリンクグラントのC-RNTI宛ての上りリンクグラントが前記第２の上りリンクグラントの設定された上りリンクグラントと時間領域で重複した場合に前記第２の上りリンクグラントの設定された上りリンクグラントをオーバライドし、前記第１の上りリンクグラントの設定された上りリンクグラントが前記第３の上りリンクグラントのC-RNTI宛ての上りリンクグラントと時間領域で重複した場合に前記第３の上りリンクグラントのC-RNTI宛ての上りリンクグラントをオーバライドする。
【００１２】
（２）また、本発明の一態様は前記第１のDCIフォーマットに含まれる周期的でない無
線リソースの割当情報を検出後に使用可能になるC-RNTI宛ての上りリンクグラントによる第４の上りリンクグラントのデータ送信が可能であって、前記受信部は、前記第１の上りリンクグラントのための前記第１のDCIフォーマットと、前記第４の上りリンクグラント
のための前記第１のDCIフォーマットを検出し、前記送信部は、前記第４の上りリンクグ
ラントのC-RNTI宛ての上りリンクグラントが前記第１の上りリンクグラントの設定された上りリンクグラントと時間領域で重複した場合に前記第１の上りリンクグラントの設定された上りリンクグラントをオーバライドする。
【００１３】
（３）また、本発明の一態様は、前記送信部は前記第１のDCIフォーマットと前記第２
のDCIフォーマットの受信なく、前記RRC情報にデータ送信する無線リソースの割当情報が含まれ、設定された上りリンクグラントである第５の上りリンクグラントのデータ送信が可能であり、前記送信部は、前記第３の上りリンクグラントのC-RNTI宛ての上りリンクグラントが前記第５の上りリンクグラントの設定された上りリンクグラントと時間領域で重複した場合に、前記第５の上りリンクグラントのための前記RRC情報に含まれる時間領域
のリソース割当て、無線リソースの周期、時間領域のオフセットの少なくとも一つの情報に応じて、少なくとも重複するＯＦＤＭシンボルでは前記第３の上りリンクグラントと前記第５の上りリンクグラントのいずれを使用するかを決定する。
【００１４】
（４）また、本発明の一態様は、前記第１の上りリンクグラントの設定された上りリンクグラントが前記第３の上りリンクグラントのC-RNTI宛ての上りリンクグラントと時間領域で重複するとは、前記第１の上りリンクグラントによるデータ送信で使用するＯＦＤＭシンボルと前記第３の上りリンクグラントによるデータ送信で使用するＯＦＤＭシンボルの少なくとも一部が重複する。
【００１５】
（５）また、本発明の一態様は、前記第１のDCIフォーマットを構成するフィールドの
ビット数の合計が前記第２のDCIフォーマットより少ない。
【発明の効果】
【００１６】
本発明の一又は複数の態様によれば、信頼性の高いデータ送信する実現することができる。
【図面の簡単な説明】
【００１７】
【図１】第１の実施形態に係る通信システムの例を示す図である。
【図２】第１の実施形態に係る通信システムの無線フレーム構成例を示す図である。
【図３】第１の実施形態に係る基地局装置１０の構成を示す概略ブロック図である。
【図４】第１の実施形態に係る信号検出部の一例を示す図である。
【図５】第１の実施形態における端末装置２０の構成を示す概略ブロック図である。
【図６】第１の実施形態に係る信号検出部の一例を示す図である。
【図７】従来の上りリンクグラントの通知の一例を示す図である。
【図８】第１の実施形態に係る上りリンクグラントの通知の一例を示す図である。
【図９】第３の実施形態に係る上りリンクグラントの通知の一例を示す図である。
【発明を実施するための形態】
【００１８】
本実施形態に係る通信システムは、基地局装置（セル、スモールセル、ピコセル、サービングセル、コンポーネントキャリア、ｅＮｏｄｅＢ（ｅＮＢ）、Ｈｏｍｅ  ｅＮｏｄｅＢ、Ｌｏｗ  Ｐｏｗｅｒ  Ｎｏｄｅ、Ｒｅｍｏｔｅ  Ｒａｄｉｏ  Ｈｅａｄ、ｇＮｏｄｅＢ（ｇＮＢ）、制御局、Ｂａｎｄｗｉｄｔｈ  Ｐａｒｔ（ＢＷＰ）、Ｓｕｐｐｌｅｍｅｎｔａｒｙ  Ｕｐｌｉｎｋ（ＳＵＬ）とも呼称される）および端末装置（端末、移動端末、移動局、ＵＥ:User Equipmentとも呼称される）を備える。該通信システムにおいて、下
りリンクの場合、基地局装置は送信装置（送信点、送信アンテナ群、送信アンテナポート群）となり、端末装置は受信装置（受信点、受信端末、受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００１９】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも
、適用することができる。この場合、端末装置がＭＴＣ端末となる。前記通信システムは、上りリンク及び下りリンクにおいて、ＤＦＴＳ−ＯＦＤＭ（Discrete Fourier Transform Spread - Orthogonal Frequency Division Multiplexing、SC-FDMA（Single Carrier - Frequency Division Multiple Access）とも称される）、ＣＰ−ＯＦＤＭ（Cyclic Prefix - Orthogonal Frequency Division Multiplexing）等のマルチキャリア伝送方式を用いることができる。前記通信システムは、フィルタを適用したＦＢＭＣ（Filter Bank Multi Carrier）、ｆ−ＯＦＤＭ（Filtered - OFDM）、ＵＦ−ＯＦＤＭ（Universal Filtered - OFDM）、Ｗ−ＯＦＤＭ（Windowing - OFDM）、スパース符号を用いる伝送方式（Ｓ
ＣＭＡ：Sparse Code Multiple Access）などを用いることもできる。さらに、前記通信
システムは、ＤＦＴプレコーディングを適用し、上記のフィルタを用いる信号波形を用いてもよい。さらに、前記通信システムは、前記伝送方式において、符号拡散、インターリーブ、スパース符号等を施すこともできる。なお、以下では、上りリンクはＤＦＴＳ−ＯＦＤＭ伝送とＣＰ−ＯＦＤＭ伝送の少なくとも一つを用い、下りリンクはＣＰ−ＯＦＤＭ伝送を用いた場合で説明するが、これに限らず、他の伝送方式を適用することができる。
【００２０】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。アンライセンスバンドでは、キャリアセンス（例えば、listen before talk方式）に基づく通信としても良い。
【００２１】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２２】
（第１の実施形態）
図１は、本実施形態に係る通信システムの構成例を示す図である。本実施形態における通信システムは、基地局装置１０、端末装置２０−１〜２０−ｎ１（ｎ１は基地局装置１０と接続している端末装置数）を備える。端末装置２０−１〜２０−ｎ１を総称して端末装置２０とも称する。カバレッジ１０ａは、基地局装置１０が端末装置２０と接続可能な範囲（通信エリア）である（セルとも呼ぶ）。
【００２３】
図１において、上りリンクｒ３０の無線通信は、少なくとも以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
【００２４】
ＰＵＣＣＨは、上りリンク制御情報（Uplink Control Information: UCI）を送信する
ために用いられる物理チャネルである。上りリンク制御情報は、下りリンクデータ（Downlink transport block, Medium Access Control Protocol Data Unit: MAC PDU, Downlink-Shared Channel: DL-SCH, Physical Downlink Shared Channel: PDSCH）に対する肯定
応答（positive acknowledgement: ACK）／否定応答（Negative acknowledgement: NACK
）を含む。ＡＣＫ／ＮＡＣＫは、ＨＡＲＱ−ＡＣＫ（Hybrid Automatic Repeat request ACKnowledgement）、ＨＡＲＱフィードバック、ＨＡＲＱ応答、または、ＨＡＲＱ制御情
報、送達確認を示す信号とも称される。
【００２５】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、正のスケジューリングリクエスト（positive scheduling request）、または、負のスケジューリングリクエスト（negative scheduling request）を含む。正のスケジューリングリクエストは、初期送信のためのＵ
Ｌ−ＳＣＨリソースを要求することを示す。負のスケジューリングリクエストは、初期送信のためのＵＬ−ＳＣＨリソースを要求しないことを示す。
【００２６】
上りリンク制御情報は、下りリンクのチャネル状態情報（Channel State Information:
CSI）を含む。前記下りリンクのチャネル状態情報は、好適な空間多重数（レイヤ数）を示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。前記ＣＱＩは、所定の帯域における好適な変調方式（例えば、ＱＰＳＫ、１６ＱＡＭ、６４ＱＡＭ、２５６ＱＡＭなど）、符号化率（coding rate）、
および周波数利用効率を指し示すインデックス（ＣＱＩインデックス）を用いることができる。端末装置は、ＰＤＳＣＨのトランスポートブロックが所定のブロック誤り確率（例えば、誤り率０．１）を超えずに受信可能であろうＣＱＩインデックスをＣＱＩテーブルから選択する。ここで、端末装置は、トランスポートブロック用の所定の誤り確率（誤り率）を複数有してもよい。例えば、ｅＭＢＢのデータの誤り率は０．１をターゲットとし、ＵＲＬＬＣの誤り率は０．００００１や０．００１等をターゲットとしても良い。端末装置は、上位レイヤ（例えば、基地局からＲＲＣシグナリングでセットアップ）で設定された場合にターゲットの誤り率（トランスポートブロック誤り率）毎のCSIフィードバッ
クを行っても良いし、上位レイヤで複数ターゲットの誤り率のうち１つが上位レイヤで設定された場合に設定されたターゲットの誤り率のCSIフィードバックを行っても良い。な
おＲＲＣシグナリングで誤り率が設定されたか否かではなく、ｅＭＢＢ（つまりＢＬＥＲが０．１を超えない伝送）用のＣＱＩテーブルではないＣＱＩテーブルが選択されたか否
かによって、ｅＭＢＢ用の誤り率（例えば０．１）ではない誤り率によってＣＳＩを算出してもよい。
【００２７】
ＰＵＣＣＨは、ＰＵＣＣＨフォーマット０〜４が定義されており、ＰＵＣＣＨフォーマット０、２は１〜２ＯＦＤＭシンボルで送信、ＰＵＣＣＨフォーマット１，３、４は４〜１４ＯＦＤＭシンボルで送信する。ＰＵＣＣＨフォーマット０と１は、２ビット以下の通知に用いられ、ＨＡＲＱ−ＡＣＫのみ、もしくはＨＡＲＱ−ＡＣＫとＳＲを同時に通知できる。ＰＵＣＣＨフォーマット１、３、４は、２ビットより多いビットの通知に用いられ、ＡＲＱ−ＡＣＫ、ＳＲ、ＣＳＩを同時に通知できる。ＰＵＣＣＨの送信に使用するＯＦＤＭシンボル数は、上位レイヤ（例えば、ＲＲＣシグナリングでセットアップ）で設定され、いずれのＰＵＣＣＨフォーマットを使用するかはＰＵＣＣＨを送信するタイミング（スロット、ＯＦＤＭシンボル）で、ＳＲ送信やＣＳＩ送信があるか否かによって決まる。
【００２８】
ＰＵＳＣＨは、上りリンクデータ（Uplink Transport Block、Uplink-Shared Channel:
UL-SCH）を送信するために用いられる物理チャネルである。ＰＵＳＣＨは、前記上りリ
ンクデータと共に、下りリンクデータに対するＨＡＲＱ−ＡＣＫおよび／またはチャネル状態情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００２９】
ＰＵＳＣＨは、無線リソース制御（Radio Resource Control: RRC）シグナリングを送
信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリングであってもよい。基地局装置から送信されるＲＲＣシグナリングは、ある端末装置に対して専用のシグナリング（dedicated signalingとも称する）であってもよい。すなわち
、ユーザ装置固有（UE-specific）な情報は、ある端末装置に対して専用のシグナリング
を用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００３０】
ＰＵＳＣＨは、ＭＡＣ  ＣＥ（Medium Access Control Element）を送信するために用
いられる。ＭＡＣ  ＣＥは、媒体アクセス制御層（Medium Access Control layer）にお
いて処理（送信）される情報／信号である。例えば、パワーヘッドルーム（PH: Power Headroom）は、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００３１】
ＰＵＳＣＨは、ＤＣＩフォーマットに含まれる上りリンクの送信パラメータ（例えば、時間領域のリソース割当、周波数領域のリソース割当など）に基づき、指定された無線リソースで上りリンクのデータ送信を行うダイナミックスケジューリング（周期的でない無線リソースの割当）のデータ送信に用いられても良い。ＰＵＳＣＨは、ＲＲＣによるＴｒａｎｓｆｏｒｍＰｒｅｃｏｄｅｒ（プレコーダ）、ｎｒｏｆＨＡＲＱ（ＨＡＲＱプロセス数）、ｒｅｐＫ−ＲＶ（同一データの繰り返し送信時のリダンダンシーバージョンのパターン）受信後に、ＣＲＣがＣＳ−ＲＮＴＩでスクランブルされているＤＣＩフォーマット０＿０／０＿１を受信し、さらに受信したＤＣＩフォーマット０＿０／０＿１が所定のフ
ィールドにＶａｌｉｄａｔｉｏｎの設定がされているアクティベーションの制御情報を受信することで周期的な無線リソースを使用したデータ送信が許可されるＳＰＳ（Semi-Persistent scheduling）  Ｔｙｐｅ２（Ｃｏｎｆｉｇｕｒｅｄ  ｕｐｌｉｎｋ  ｇｒａｎｔ（設定された上りリンクグラント）  ｔｙｐｅ２）に用いられても良い。ここで、Ｖａｌｉｄａｔｉｏｎに使用されるフィールドはＭＣＳの最上位ビットやＮＤＩ、ＨＡＲＱのプロセス番号などが用いられても良い。さらに、ＰＵＳＣＨは、ＲＲＣによりＳＰＳ  Ｔｙｐｅ２の情報に加えて、ｒｒｃＣｏｎｆｉｇｕｒｅｄＵｐｌｉｎｋＧｒａｎｔを受信することで周期的なデータ送信が許可されるＳＰＳ  Ｔｙｐｅ１に用いられても良い。ｒｒｃＣｏｎｆｉｇｕｒｅｄＵｐｌｉｎｋＧｒａｎｔの情報には、時間領域のリソース割当、時間領域のオフセット、周波数領域のリソース割当、ＤＭＲＳの設定、同一データの繰り返し送信回数（ｒｅｐＫ）が含まれても良い。また、同一のサービングセル内（コンポーネントキャリア内）で、ＳＰＳ  Ｔｙｐｅ１とＳＰＳ  Ｔｙｐｅ２が設定された場合は、ＳＰＳ  Ｔｙｐｅ１を優先しても良い。また、同一のサービングセル内でＳＰＳ  Ｔｙｐｅ１の上りリンクグラントとダイナミックスケジューリングの上りリンクグラントが時間領域で重複する場合、ダイナミックスケジューリングの上りリンクグラントがオーバライド（ｏｖｅｒｒｉｄｅ、ダイナミックスケジューリングのみ使用し、ＳＰＳ  Ｔｙｐｅ１の上りリンクグラントを使わないと）しても良い。また、複数の上りリンクグラントが時間領域で重複するとは、少なくとも一部のＯＦＤＭシンボルで重複することを意味しても良いし、サブキャリア間隔（ＳＣＳ）が異なる場合はＯＦＤＭシンボル長が異なるため、ＯＦＤＭシンボル内の一部の時間が重複することを意味しても良い。ＳＰＳ  Ｔｙｐｅ１の設定は、ＲＲＣでアクティベーションされていないＳｃｅｌｌに設定することも可能とし、ＳＰＳ  Ｔｙｐｅ１の設定されたＳｃｅｌｌは、アクティベーション後にＳＰＳ  Ｔｙｐｅ１の上りリンクグラントが有効となっても良い。
【００３２】
ＰＲＡＣＨは、ランダムアクセスに用いるプリアンブルを送信するために用いられる。ＰＲＡＣＨは、初期コネクション確立（initial connection establishment）プロシージャ、ハンドオーバプロシージャ、コネクション再確立（connection re-establishment）
プロシージャ、上りリンク送信に対する同期（タイミング調整）、およびＰＵＳＣＨ（ＵＬ−ＳＣＨ）リソースの要求を示すために用いられる。
【００３３】
上りリンクの無線通信では、上りリンク物理信号として上りリンク参照信号（Uplink Reference Signal: UL RS）が用いられる。上りリンク参照信号には、復調用参照信号（Demodulation Reference Signal: DMRS）、サウンディング参照信号（Sounding Reference Signal: SRS）が含まれる。ＤＭＲＳは、物理上りリンク共有チャネル／物理上りリンク
制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。上りリンクのＤＭＲＳは、ｆｒｏｎｔ−ｌｏａｄｅｄ  ＤＭＲＳの最大のＯＦＤＭシンボル数とＤＭＲＳシンボルの追加の設定（ＤＭＲＳ−ａｄｄ―ｐｏｓ）がＲＲＣで基地局装置により指定される。ｆｒｏｎｔ−ｌｏａｄｅｄ  ＤＭＲＳが１ＯＦＤＭシンボル（シングルシンボルＤＭＲＳ）の場合、周波数領域配置、周波数領域のサイクリックシフトの値、ＤＭＲＳが含まれるＯＦＤＭシンボルにおいて、どの程度異なる周波数領域配置が使用されるかがＤＣＩで指定され、ｆｒｏｎｔ−ｌｏａｄｅｄ  ＤＭＲＳが２ＯＦＤＭシンボル（ダブルシンボルＤＭＲＳ）の場合、上記に加え、長さ２の時間拡散の設定がＤＣＩで指定される。
【００３４】
ＳＲＳ(Sounding Reference Signal)は、物理上りリンク共有チャネル／物理上りリン
ク制御チャネルの送信に関連しない。つまり、上りリンクのデータ送信の有無に関わらず、端末装置は周期的もしくは非周期的にＳＲＳを送信する。周期的なＳＲＳでは、端末装置は基地局装置より上位層の信号（例えばＲＲＣ）で通知されたパラメータに基づいてＳＲＳを送信する。一方、非周期的なＳＲＳでは、端末装置は基地局装置より上位層の信号
（例えばＲＲＣ）で通知されたパラメータとＳＲＳの送信タイミングを示す物理下りリンク制御チャネル（例えば、ＤＣＩ）に基づいてＳＲＳを送信する。基地局装置１０は、上りリンクのチャネル状態を測定（CSI Measurement）するためにＳＲＳを使用する。基地
局装置１０は、ＳＲＳの受信により得られた測定結果から、タイミングアライメントや閉ループ送信電力制御を行っても良い。
【００３５】
図１において、下りリンクｒ３１の無線通信では、少なくとも以下の下りリンク物理チャネルが用いられる。下りリンク物理チャネルは、上位層から出力された情報を送信するために使用される。
・物理報知チャネル（ＰＢＣＨ）
・物理下りリンク制御チャネル（ＰＤＣＣＨ）
・物理下りリンク共有チャネル（ＰＤＳＣＨ）
【００３６】
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＭＩＢは、下りリンク送信帯域幅設定、システムフレーム番号（ＳＦＮ：System Frame number）を含む。ＭＩＢは、ＰＢＣＨが送
信されるスロットの番号、サブフレームの番号、および、無線フレームの番号の少なくとも一部を指示する情報を含んでもよい。
【００３７】
ＰＤＣＣＨは、下りリンク制御情報（Downlink Control Information: DCI）を送信す
るために用いられる。下りリンク制御情報は、用途に基づいた複数のフォーマット（ＤＣＩフォーマットとも称する）が定義される。１つのＤＣＩフォーマットを構成するＤＣＩの種類やビット数に基づいて、ＤＣＩフォーマットは定義されてもよい。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント、ＤＬ  Ｇｒａｎｔ）とも称する。上りリンクデータ送信のためのＤＣＩフォーマットは、上りリンクグラント（または、上りリンクアサインメント、ＵＬ  Ｇｒａｎｔ）とも称する。
【００３８】
下りリンクのデータ送信のためのＤＣＩフォーマットには、ＤＣＩフォーマット１＿０とＤＣＩフォーマット１＿１などがある。ＤＣＩフォーマット１＿０はフォールバック用の下りリンクのデータ送信用であり、ＭＩＭＯなどをサポートするＤＣＩフォーマット１＿１よりも少ないビット数で構成されている。一方、ＤＣＩフォーマット１＿１はＭＩＭＯや複数のコードワード伝送、ＺＰ  ＣＳＩ−ＲＳトリガー、ＣＢＧ送信情報などが通知可能であり、さらに、一部のフィールドの有無やビット数は上位層（例えばＲＲＣシグナリング、ＭＡＣ  ＣＥ）の設定に応じて、追加される。１つの下りリンクアサインメントは、１つのサービングセル内の１つのＰＤＳＣＨのスケジューリングに用いられる。下りリンクグラントは、該下りリンクグラントが送信されたスロット／サブフレームと同じスロット／サブフレーム内のＰＤＳＣＨのスケジューリングのために、少なくとも用いられてもよい。ＤＣＩフォーマット１＿０による下りリンクアサインメントには、以下のフィールドが含まれる。例えば、ＤＣＩフォーマットの識別子、周波数領域リソースアサインメント（ＰＤＳＣＨのためのリソースブロック割り当て、リソース割当）、時間領域リソースアサインメント、ＶＲＢからＰＲＢへのマッピング、ＰＤＳＣＨに対するＭＣＳ（Modulation and Coding Scheme、変調多値数と符号化率を示す情報）、初期送信または再送信を指示するＮＤＩ（NEW Data Indicator）、下りリンクにおけるＨＡＲＱプロセス番号を示す情報、誤り訂正符号化時にコードワードに加えられた冗長ビットの情報を示すＲｅｄｕｄａｎｃｙ  ｖｅｒｓｉｏｎ（RV）、ＤＡＩ（Downlink Assignment Index）、PUCCHの送信電力制御（ＴＰＣ：Transmission Power Control）コマンド、PUCCHのリソースイ
ンディケータ、ＰＤＳＣＨからＨＡＲＱフィードバックタイミングのインディケータなど
がある。なお、各下りリンクデータ送信のためのＤＣＩフォーマットには、上記情報のうち、その用途のために必要な情報（フィールド）が含まれる。ＤＣＩフォーマット１＿０とＤＣＩフォーマット１＿１のいずれか一方、もしくは両方が下りリンクのＳＰＳのアクティベーションとディアクティベーションに使われても良い。
【００３９】
上りリンクのデータ送信のためのＤＣＩフォーマットには、ＤＣＩフォーマット０＿０とＤＣＩフォーマット０＿１などがある。ＤＣＩフォーマット０＿０はフォールバック用の上りリンクのデータ送信用であり、ＭＩＭＯなどをサポートするＤＣＩフォーマット０＿１よりも少ないビット数で構成されている。一方、ＤＣＩフォーマット０＿１はＭＩＭＯや複数のコードワード伝送、ＳＲＳリソースインディケータ、プレコーディング情報、アンテナポートの情報、ＳＲＳ要求の情報、ＣＳＩ要求の情報、ＣＢＧ送信情報、上りリンクのＰＴＲＳアソシエーション、ＤＭＲＳのシーケンス初期化などが通知可能であり、さらに、一部のフィールドの有無やビット数は上位層（例えばＲＲＣシグナリング）の設定に応じて、追加される。１つの上りリンクグラントは、１つのサービングセル内の１つのＰＵＳＣＨのスケジューリングを端末装置に通知するために用いられる。ＤＣＩフォーマット０＿０による上りリンクグラントは、以下のフィールドが含まれる。例えば、ＤＣＩフォーマットの識別子、周波数領域リソースアサインメント（ＰＵＳＣＨを送信するためのリソースブロック割り当てに関する情報および時間領域リソースアサインメント、周波数ホッピングフラグ、ＰＵＳＣＨのＭＣＳに関する情報、ＲＶ、ＮＤＩ、上りリンクにおけるＨＡＲＱプロセス番号を示す情報、ＰＵＳＣＨに対するＴＰＣコマンド、ＵＬ／ＳＵＬ（Supplemental UL）インディケータなどがある。ＤＣＩフォーマット０＿０とＤＣ
Ｉフォーマット０＿１のいずれか一方、もしくは両方が上りリンクのＳＰＳのアクティベーションとディアクティベーションに使われても良い。
【００４０】
ＰＤＳＣＨ／ＰＵＳＣＨに対するＭＣＳは、該ＰＤＳＣＨ／該ＰＵＳＣＨの変調オーダーおよびターゲットの符号化率を指し示すインデックス（ＭＣＳインデックス）を用いることができる。変調オーダーは、変調方式と対応づけられる。変調オーダー「２」、「４」、「６」は各々、「ＱＰＳＫ」、「１６ＱＡＭ」、「６４ＱＡＭ」を示す。さらに、上位レイヤ（例えばＲＲＣシグナリング）で２５６ＱＡＭや１０２４ＱＡＭの設定がされた場合、変調オーダー「８」、「１０」の通知が可能であり、それぞれ「２５６ＱＡＭ」、「１０２４ＱＡＭ」を示す。ターゲット符号化率は、前記ＰＤＣＣＨでスケジュールされたＰＤＳＣＨ／ＰＵＳＣＨのリソースエレメント数（リソースブロック数）に応じて、送信するビット数であるＴＢＳ（トランスポートブロックサイズ）の決定に使用される。通信システム１（基地局装置１０及び端末装置２０）は、ＭＣＳとターゲットの符号化率と前記ＰＤＳＣＨ／ＰＵＳＣＨ送信のために割当てられたリソースエレメント数（リソースブロック数）によってトランスポートブロックサイズの算出方法を共有する。
【００４１】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を用いてスクランブル（排他的論理和演算、マスクとも呼ぶ）される。パリティビットは、Ｃ−ＲＮＴＩ（Cell-Radio Network Temporary Identifier）、ＣＳ（Configured Scheduling）−ＲＮＴＩ、ＴＣ（Ｔｅｍｐｏｒａｒｙ  Ｃ）−ＲＮＴＩ、Ｐ（Paging）−ＲＮＴＩ、ＳＩ（System Information）−ＲＮＴＩ、ＲＡ（Random Access）−ＲＮＴＩで、Ｉ
ＮＴ−ＲＮＴＩ、ＳＦＩ（Slot Format Indicator）−ＲＮＴＩ、ＴＰＣ−ＰＵＳＣＨ−
ＲＮＴＩ、ＴＰＣ−ＰＵＣＣＨ−ＲＮＴＩ、またはＴＰＣ−ＳＲＳ−ＲＮＴＩでスクランブルされる。Ｃ−ＲＮＴＩはダイナミックスケジューリング、ＣＳ−ＲＮＴＩはＳＰＳ／グラントフリーアクセスでセル内における端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−
ＲＮＴＩは、単一のサブフレームにおけるＰＤＳＣＨ送信またはＰＵＳＣＨ送信を制御するために用いられる。ＣＳ−ＲＮＴＩは、ＰＤＳＣＨまたはＰＵＳＣＨのリソースを周期的に割り当てるために用いられる。Ｐ−ＲＮＴＩは、ページングメッセージ(Paging Channel: PCH)を送信するために用いられる。ＳＩ−ＲＮＴＩは、ＳＩＢを送信するために用
いられる、ＲＡ−ＲＮＴＩは、ランダムアクセスレスポンス(ランダムアクセスプロシー
ジャーにおけるメッセージ２)を送信するために用いられる。ＳＦＩ−ＲＮＴＩはスロッ
トフォーマットを通知するために用いられる。ＩＮＴ−ＲＮＴＩはプリエンプション（Pre-emption）を通知するために用いられる。ＴＰＣ−ＰＵＳＣＨ−ＲＮＴＩとＴＰＣ−Ｐ
ＵＣＣＨ−ＲＮＴＩ、ＴＰＣ−ＳＲＳ−ＲＮＴＩは、それぞれＰＵＳＣＨとＰＵＣＣＨ、ＳＲＳの送信電力制御値を通知するために用いられる。なお、前記識別子は、グラントフリーアクセス／ＳＰＳを複数設定するために、設定毎のＣＳ−ＲＮＴＩを含んでもよい。ＣＳ−ＲＮＴＩによってスクランブルされたＣＲＣを付加したＤＣＩは、グラントフリーアクセスのアクティベーション、ディアクティベーション、パラメータ変更や再送制御（ＡＣＫ／ＮＡＣＫ送信）のために使用することができ、パラメータはリソース設定（ＤＭＲＳの設定パラメータ、グラントフリーアクセスの周波数領域・時間領域のリソース、グラントフリーアクセスに用いられるＭＣＳ、繰り返し回数、周波数ホッピングの有無など）を含むことができる。
【００４２】
ＰＤＳＣＨは、下りリンクデータ（下りリンクトランスポートブロック、DL-SCH）を送信するために用いられる。ＰＤＳＣＨは、システムインフォメーションメッセージ（System Information Block: SIBとも称する。）を送信するために用いられる。ＳＩＢの一部
又は全部は、ＲＲＣメッセージに含めることができる。
【００４３】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通の情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置固有（UE-Specific）な情報は、ある端末装置に対して専用の
メッセージを使用して送信される。
【００４４】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣＨは、マルチキャストデータ（Multicast Channel: MCH）を送信するために用いられる。
【００４５】
図１の下りリンクの無線通信では、下りリンク物理信号として同期信号（Synchronization signal: SS）、下りリンク参照信号（Downlink Reference Signal: DL RS）が用いられる。
【００４６】
同期信号は、端末装置が下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＤＳＣＨ、ＰＤＣＣＨを復調するために用いられる。下りリンク参照信号は、端末装置が、下りリンクのチャネル状態を測定（ＣＳＩ  ｍｅａｓｕｒｅｍｅｎｔ）するために用いることもできる。下りリンク参照信号には、ＣＲＳ（Cell-specific Reference Signal）、ＣＳI-ＲＳ（Channel state information Reference Signal）、ＤＲＳ（Discovery Reference Signal）、ＤＭＲＳ（Demodulation Reference Signal）を含むことができる。
【００４７】
下りリンク物理チャネルおよび下りリンク物理信号を総称して、下りリンク信号とも称する。また、上りリンク物理チャネルおよび上りリンク物理信号を総称して、上りリンク
信号とも称する。また、下りリンク物理チャネルおよび上りリンク物理チャネルを総称して、物理チャネルとも称する。また、下りリンク物理信号および上りリンク物理信号を総称して、物理信号とも称する。
【００４８】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００４９】
上位層処理は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。
【００５０】
媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。
【００５１】
上位層の処理部では、各端末装置のための各種ＲＮＴＩを設定する。前記ＲＮＴＩは、ＰＤＣＣＨ、ＰＤＳＣＨなどの暗号化（スクランブリング）に用いられる。上位層の処理では、ＰＤＳＣＨに配置される下りリンクデータ（トランスポートブロック、DL-SCH）、端末装置固有のシステムインフォメーション（System Information Block: SIB）、ＲＲ
Ｃメッセージ、ＭＡＣ  ＣＥなどを生成、又は上位ノードから取得し、送信する。上位層の処理では、端末装置２０の各種設定情報の管理をする。なお、無線リソース制御の機能の一部は、ＭＡＣレイヤや物理レイヤで行われてもよい。
【００５２】
上位層の処理では、端末装置がサポートする機能（UE capability）等、端末装置に関
する情報を端末装置２０から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００５３】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しなくてもよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００５４】
図１において、基地局装置１０及び端末装置２０は、上りリンクにおいて、グラントフリーアクセス（grant free access、grant less access、Contention-based access、Autonomous accessやResource allocation for uplink transmission without grant、type1
configured grant transmissionなどとも呼称される、以下、グラントフリーアクセスとする）を用いた多元接続（MA: Multiple Access）をサポートする。グラントフリーアク
セスとは、端末装置によるＳＲの送信と基地局装置によるＤＣＩを使ったＵＬ  Ｇｒａｎｔ（L1 signalingによるＵＬ  Ｇｒａｎｔとも呼ばれる）によるデータ送信の物理リソースと送信タイミングの指定の手順を行わずに端末装置が上りリンクのデータ（物理上りリンクチャネルなど）を送信する方式である。よって、端末装置は、ＲＲＣシグナリング(SPS-config)により、使用できるリソースの割当て周期、目標受信電力、フラクショナルＴＰＣの値（α）、ＨＡＲＱプロセス数、同一トランスポートの繰り返し送信時のＲＶパターンに加え、ＲＲＣシグナリングのＣｏｎｆｉｇｕｒｅｄ  Ｕｐｌｉｎｋ  Ｇｒａｎｔ（ｒｒｃＣｏｎｆｉｇｕｒｅｄＵｐｌｉｎｋＧｒａｎｔ、設定された上りリンクグラント）として、予めグラントフリーアクセスに使用できる物理リソース（周波数領域のリソースアサインメント、時間領域のリソースアサインメント）や送信パラメータ（ＤＭＲＳのサイクリックシフトやＯＣＣ、アンテナポート番号、ＤＭＲＳを配置するＯＦＤＭシンボルの位置や数、同一トランスポートの繰り返し送信回数などを含んでも良い）を受信しておき、送信データがバッファに入っている場合のみ、設定されている物理リソースを使用してデータ送信することができる。つまり、上位層がグラントフリーアクセスで送信するトランスポートブロックを運んでこない場合は、グラントフリーアクセスのデータ送信は行わない。また、端末装置は、SPS-configを受信しているが、ＲＲＣシグナリングのＣｏｎｆｉｇｕｒｅｄ  Ｕｐｌｉｎｋ  Ｇｒａｎｔを受信していない場合、ＵＬ  ＧｒａｎｔによるＳＰＳのアクティベーションにより、ＳＰＳ（type2 configured grant transmission）で同様のデータ送信を行うこともできる。
【００５５】
グラントフリーアクセスには以下の２つのタイプが存在する。１つ目のtype1 configured grant transmission （UL-TWG-type1）は、基地局装置がグラントフリーアクセスに関する送信パラメータを端末装置に上位層の信号（例えば、ＲＲＣ）で送信し、さらにグラントフリーアクセスのデータ送信の許可開始（アクティベーション、ＲＲＣセットアップ）と許可終了（ディアクティベーション、ＲＲＣリリース）、送信パラメータの変更も上位層の信号で送信する方式である。ここで、グラントフリーアクセスに関する送信パラメータには、グラントフリーアクセスのデータ送信に使用可能な物理リソース（時間領域と周波数領域のリソースアサインメント）、物理リソースの周期、ＭＣＳ、繰り返し送信の有無、繰り返し回数、繰り返し送信時のＲＶの設定、周波数ホッピングの有無、ホッピングパターン、ＤＭＲＳの設定（ｆｒｏｎｔ−ｌｏａｄｅｄ  ＤＭＲＳのＯＦＤＭシンボル数、サイクリックシフトと時間拡散の設定など）、ＨＡＲＱのプロセス数、トランスフォームプレコーダの情報、ＴＰＣに関する設定に関する情報が含まれても良い。グラントフリーアクセスに関する送信パラメータとデータ送信の許可開始は、同時に設定されても良いし、グラントフリーアクセスに関する送信パラメータが設定された後、異なるタイミング（ＳＣｅｌｌであれば、ＳＣｅｌｌアクティベーションなど）でグラントフリーアクセスのデータ送信の許可開始が設定されても良い。２つ目のtype2 configured grant transmission （UL-TWG-type2）は、基地局装置がグラントフリーアクセスに関する送信パラメータを端末装置に上位層の信号（例えば、ＲＲＣ）で送信し、グラントフリーアクセスのデータ送信の許可開始（アクティベーション）と許可終了（ディアクティベーション）、送信パラメータの変更はＤＣＩ（L1 signaling）で送信する。ここで、ＲＲＣで物理リソースの周期、繰り返し回数、繰り返し送信時のＲＶの設定、ＨＡＲＱのプロセス数、トランスフォームプレコーダの情報、ＴＰＣに関する設定に関する情報が含まれ、ＤＣＩによる許可開始（アクティベーション）にはグラントフリーアクセスに使用可能な物理リソース（リソースブロックの割当て）が含まれても良い。グラントフリーアクセスに関する送信パラメータとデータ送信の許可開始は、同時に設定されても良いし、グラントフリーアクセスに関する送信パラメータが設定された後、異なるタイミングでグラントフリーアクセスのデータ送信の許可開始が設定されても良い。本発明は、上記のグラントフリーアクセスのいずれに適用しても良い。
【００５６】
一方、ＳＰＳ（Semi-Persistent Scheduling）という技術がＬＴＥで導入されており、
主にＶｏＩＰ（Voice over Internet Protocol）の用途で周期的なリソース割当てが可能である。ＳＰＳでは、ＤＣＩを使い、物理リソースの指定（リソースブロックの割当て）やＭＣＳなどの送信パラメータを含むＵＬ  Ｇｒａｎｔで許可開始（アクティベーション）を行う。そのため、グラントフリーアクセスの上位層の信号（例えば、ＲＲＣ）で許可開始（アクティベーション）する２つのタイプ(UL-TWG-type1)は、ＳＰＳと開始手順が異なる。また、UL-TWG-type２は、ＤＣＩ（L1 signaling）で許可開始（アクティベーショ
ン）する点は同じだが、ＳＣｅｌｌやＢＷＰ、ＳＵＬで使用できる点やＲＲＣシグナリングで繰り返し回数、繰り返し送信時のＲＶの設定を通知する点で異なっても良い。また、基地局装置はグラントフリーアクセス（UL-TWG-type1とUL-TWG-type２）で使用されるＤ
ＣＩ（L1 signaling）とダイナミックスケジューリングで使用されるＤＣＩで異なる種類のＲＮＴＩを使ってスクランブルしても良いし、UL-TWG-type1の再送制御で使用するＤＣＩとUL-TWG-type２のアクティベーションとディアクティベーションと再送制御で使用す
るＤＣＩで同じＲＮＴＩを使ってスクランブルしても良い。
【００５７】
基地局装置１０及び端末装置２０は、直交マルチアクセスに加えて、非直交マルチアクセスをサポートしても良い。なお、基地局装置１０及び端末装置２０は、グラントフリーアクセス及びスケジュールドアクセス（ダイナミックスケジューリング）の両方をサポートすることもできる。ここで、上りリンクのスケジュールドアクセスとは、以下の手順により端末装置２０がデータ送信するこという。端末装置２０は、ランダムアクセスプロシージャ（Random Access Procedure）やＳＲを使用して、基地局装置１０に、上りリンク
のデータを送信するための無線リソースを要求する。前記基地局装置は、ＲＡＣＨやＳＲを基に各端末装置にＤＣＩでＵＬ  Ｇｒａｎｔを与える。前記端末装置は、前記基地局装置から制御情報のＵＬ  Ｇｒａｎｔを受信すると、そのＵＬ  Ｇｒａｎｔに含まれる上りリンク送信パラメータに基づき、所定の無線リソースで上りリンクのデータを送信する。
【００５８】
上りリンクの物理チャネル送信のための下りリンク制御情報は、スケジュールドアクセスとグラントフリーアクセスで共有フィールドを含むことができる。この場合、基地局装置１０がグラントフリーアクセスで上りリンクの物理チャネルを送信することを指示した場合、基地局装置１０及び端末装置２０は、前記共有フィールドに格納されたビット系列をグラントフリーアクセスのための設定（例えば、グラントフリーアクセスのために定義された参照テーブル）に従って解釈する。同様に、基地局装置１０がスケジュールドアクセスで上りリンクの物理チャネルを送信することを指示した場合、基地局装置１０及び端末装置２０は、前記共有フィールドをスケジュールドアクセスのために設定に従って解釈する。グラントフリーアクセスにおける上りリンクの物理チャネルの送信は、アシンクロナスデータ送信（Asynchronous data transmission）と称される。なお、スケジュールドにおける上りリンクの物理チャネルの送信は、シンクロナスデータ送信（Synchronous data transmission）と称される。
【００５９】
グラントフリーアクセスにおいて、端末装置２０は、上りリンクのデータを送信する無線リソースをランダムに選択するようにしてもよい。例えば、端末装置２０は、利用可能な複数の無線リソースの候補がリソースプールとして基地局装置１０から通知されており、該リソースプールからランダムに無線リソースを選択する。グラントフリーアクセスにおいて、端末装置２０が上りリンクのデータを送信する無線リソースは、基地局装置１０によって予め設定されてもよい。この場合、端末装置２０は、予め設定された前記無線リソースを用いて、ＤＣＩのＵＬ  Ｇｒａｎｔ（物理リソースの指定を含む）を受信せずに、前記上りリンクのデータを送信する。前記無線リソースは、複数の上りリンクのマルチアクセスリソース（上りリンクのデータをマッピングすることができるリソース）から構成される。端末装置２０は、複数の上りリンクのマルチアクセスリソースから選択した１又は複数の上りリンクのマルチアクセスリソースを用いて、上りリンクのデータを送信する。なお、端末装置２０が上りリンクのデータを送信する前記無線リソースは、基地局装
置１０及び端末装置２０で構成される通信システムにおいて予め決定されていてもよい。前記上りリンクのデータを送信する前記無線リソースは、基地局装置１０によって、物理報知チャネル（例えば、ＰＢＣＨ：Physical Broadcast Channel）／無線リソース制御ＲＲＣ（Radio Resource Control）／システムインフォメーション（例えば、ＳＩＢ：System Information Block）／物理下りリンク制御チャネル（下りリンク制御情報、例えばＰＤＣＣＨ：Physical Downlink Control Channel、ＥＰＤＣＣＨ：Enhanced PDCCH、ＭＰ
ＤＣＣＨ：MTC PDCCH、ＮＰＤＣＣＨ：Narrowband PDCCH）を用いて、端末装置２０に通
知されてもよい。
【００６０】
グラントフリーアクセスにおいて、前記上りリンクのマルチアクセスリソースは、マルチアクセスの物理リソースとマルチアクセス署名リソース（Multi Access Signature Resource）で構成される。前記マルチアクセスの物理リソースは、時間と周波数から構成さ
れるリソースである。マルチアクセスの物理リソースとマルチアクセス署名リソースは、各端末装置が送信した上りリンクの物理チャネルを特定することに用いられうる。前記リソースブロックは、基地局装置１０及び端末装置２０が物理チャネル（例えば、物理データ共有チャネル、物理制御チャネル）をマッピングすることができる単位である。前記リソースブロックは、周波数領域において、1以上のサブキャリア（例えば、１２サブキャ
リア、１６サブキャリア）から構成される。
【００６１】
マルチアクセス署名リソースは、複数のマルチアクセス署名群（マルチアクセス署名プールとも呼ばれる）のうち、少なくとも１つのマルチアクセス署名で構成される。マルチアクセス署名は、各端末装置が送信する上りリンクの物理チャネルを区別（同定）する特徴（目印、指標）を示す情報である。マルチアクセス署名は、空間多重パターン、拡散符号パターン（Ｗａｌｓｈ符号、ＯＣＣ；Orthogonal Cover Code、データ拡散用のサイク
リックシフト、スパース符号など）、インターリーブパターン、復調用参照信号パターン（参照信号系列、サイクリックシフト、ＯＣＣ、ＩＦＤＭ）／識別信号パターン、送信電力、等であり、これらの中の少なくとも一つが含まれる。グラントフリーアクセスにおいて、端末装置２０は、マルチアクセス署名プールから選択した１つ又は複数のマルチアクセス署名を用いて、上りリンクのデータを送信する。端末装置２０は、使用可能なマルチアクセス署名を基地局装置１０に通知することができる。基地局装置１０は、端末装置２０が上りリンクのデータを送信する際に使用するマルチアクセス署名を端末装置に通知することができる。基地局装置１０は、端末装置２０が上りリンクのデータを送信する際に使用可能なマルチアクセス署名群を端末装置２０に通知することができる。使用可能なマルチアクセス署名群は、報知チャネル／ＲＲＣ／システムインフォメーション／下りリンク制御チャネルを用いて、通知されてもよい。この場合、端末装置２０は、通知されたマルチアクセス署名群から選択したマルチアクセス署名を用いて、上りリンクのデータを送信することができる。
【００６２】
端末装置２０は、マルチアクセスリソースを用いて、上りリンクのデータを送信する。例えば、端末装置２０は、１つのマルチアクセスの物理リソースと拡散符号パターンなどからなるマルチキャリア署名リソースで構成されるマルチアクセスリソースに、上りリンクのデータをマッピングすることができる。端末装置２０は、１つのマルチアクセスの物理リソースとインターリーブパターンからなるマルチキャリア署名リソースで構成されるマルチアクセスリソースに、上りリンクのデータを割当てることもできる。端末装置２０は、１つのマルチアクセスの物理リソースと復調用参照信号パターン／識別信号パターンからなるマルチアクセス署名リソースで構成されるマルチアクセスリソースに、上りリンクのデータをマッピングすることもできる。端末装置２０は、１つのマルチアクセスの物理リソースと送信電力パターンからなるマルチアクセス署名リソースで構成されるマルチアクセスリソースに、上りリンクのデータをマッピングすることもできる（例えば、前記各上りリンクのデータの送信電力は、基地局装置１０において受信電力差が生じるように
、設定されてもよい）。このようなグラントフリーアクセスにおいて、本実施形態の通信システムでは、複数の端末装置２０が送信した上りリンクのデータが、上りリンクのマルチアクセスの物理リソースにおいて、重複（重畳、空間多重、非直交多重、衝突）して送信されること、を許容しても良い。
【００６３】
基地局装置１０は、グラントフリーアクセスにおいて、各端末装置によって送信した上りリンクのデータの信号を検出する。基地局装置１０は、前記上りリンクのデータ信号を検出するために、干渉信号の復調結果によって干渉除去を行うＳＬＩＣ（Ｓｙｍｂｏｌ  Ｌｅｖｅｌ  Ｉｎｔｅｒｆｅｒｅｎｃｅ  Ｃａｎｃｅｌｌａｔｉｏｎ）、干渉信号の復号結果によって干渉除去を行うＣＷＩＣ（Ｃｏｄｅｗｏｒｄ  Ｌｅｖｅｌ  Ｉｎｔｅｒｆｅｒｅｎｃｅ  Ｃａｎｃｅｌｌａｔｉｏｎ、逐次干渉キャンセラ；ＳＩＣや並列干渉キャンセラ；ＰＩＣとも呼称される）、ターボ等化、送信信号候補の中から最もそれらしいものを探索する最尤検出（ＭＬＤ：maximum likelihood detection、Ｒ−ＭＬＤ：Reduced complexity maximum likelihood detection）、干渉信号を線形演算によって抑圧するＥＭ
ＭＳＥ−ＩＲＣ（Enhanced Minimum Mean Square Error-Interference Rejection Combining）、メッセージパッシングによる信号検出（ＢＰ：Belief propagation）やマッチド
フィルタとＢＰを組み合わせたＭＦ（Matched Filter）−ＢＰなどを備えても良い。
【００６４】
図２は、本実施形態に係る通信システムの無線フレーム構成例を示す図である。無線フレーム構成は、時間領域のマルチアクセスの物理リソースにおける構成を示す。１つの無線フレームは、複数のスロット（サブフレームでも良い）から構成される。図２は、１つの無線フレームが１０個のスロットから構成される例である。端末装置２０は、リファレンスとなるサブキャリア間隔（リファレンスニューメロロジー）を持つ。前記サブフレームは、リファレンスとなるサブキャリア間隔において生成される複数のＯＦＤＭシンボルで構成される。図２は、サブキャリア間隔が１５ｋＨｚであり、１フレームが１０スロット、１つのサブフレームが１スロットで構成され、１スロットが１４つのＯＦＤＭシンボルから構成される例である。サブキャリア間隔が１５ｋＨｚ×２μ（μは０以上の整数）の場合、１フレームが２μ×１０スロット、１サブフレームが２μスロットで構成される。
【００６５】
図２は、リファレンスとなるサブキャリア間隔と上りリンクのデータ送信に用いるサブキャリア間隔が同一である場合である。本実施形態に係る通信システムは、スロットを、端末装置２０が物理チャネル（例えば、物理データ共有チャネル、物理制御チャネル）をマッピングする最小単位としてもよい。この場合、前記マルチアクセスの物理リソースにおいて、１つのスロットが時間領域におけるリソースブロック単位となる。さらに、本実施形態に係る通信システムは、端末装置２０が物理チャネルをマッピングする最小単位を１もしくは複数のＯＦＤＭシンボル（例えば、２〜１３ＯＦＤＭシンボル）としても良い。基地局装置１０は、１もしくは複数のＯＦＤＭシンボルが時間領域におけるリソースブロック単位となる。基地局装置１０は、物理チャネルをマッピングする最小単位を端末装置２０にシグナリングしても良い。
【００６６】
図３は、本実施形態に係る基地局装置１０の構成を示す概略ブロック図である。基地局装置１０は、受信アンテナ２０２、受信部（受信ステップ）２０４、上位層処理部（上位層処理ステップ）２０６、制御部（制御ステップ）２０８、送信部（送信ステップ）２１０、送信アンテナ２１２を含んで構成される。受信部２０４は、無線受信部（無線受信ステップ）２０４０、ＦＦＴ部２０４１（ＦＦＴステップ）、多重分離部（多重分離ステップ）２０４２、伝搬路推定部（伝搬路推定ステップ）２０４３、信号検出部（信号検出ステップ）２０４４を含んで構成される。送信部２１０は、符号化部（符号化ステップ）２１００、変調部（変調ステップ）２１０２、多元接続処理部（多元接続処理ステップ）２１０６、多重部（多重ステップ）２１０８、無線送信部（無線送信ステップ）２１１０、
ＩＦＦＴ部（ＩＦＦＴステップ）２１０９、下りリンク参照信号生成部（下りリンク参照信号生成ステップ）２１１２、下りリンク制御信号生成部（下りリンク制御信号生成ステップ）２１１３を含んで構成される。
【００６７】
受信部２０４は、受信アンテナ２０２を介して端末装置１０からの受信した上りリンク信号（上りリンクの物理チャネル、上りリンク物理信号）を多重分離、復調、復号する。受信部２０４は、受信信号から分離した制御チャネル（制御情報）を制御部２０８に出力する。受信部２０４は、復号結果を上位層処理部２０６に出力する。受信部２０４は、前記受信信号に含まれるＳＲや下りリンクのデータ送信に対するＡＣＫ／ＮＡＣＫ、ＣＳＩを取得する。
【００６８】
無線受信部２０４０は、受信アンテナ２０２を介して受信した上りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２０４０は、変換したディジタル信号からＣＰ（Cyclic Prefix）に相当する部
分を除去する。ＦＦＴ部２０４１はＣＰを除去した下りリンク信号に対して高速フーリエ変換を行い（ＯＦＤＭ変調に対する復調処理）、周波数領域の信号を抽出する。
【００６９】
伝搬路推定部２０４３は、復調用参照信号を用いて、上りリンクの物理チャネルの信号検出のためのチャネル推定を行う。伝搬路推定部２０４３には、復調用参照信号がマッピングされているリソース及び各端末装置に割当てた復調用参照信号系列が制御部２０８から入力される。伝搬路推定部２０４３は、前記復調用参照信号系列を用いて、基地局装置１０と端末装置２０の間のチャネル状態（伝搬路状態）を測定する。伝搬路推定部２０４３は、グラントフリーアクセスの場合、チャネル推定の結果（チャネル状態のインパルス応答、周波数応答）を用いて、端末装置の識別を行うことができる（このため、識別部とも称する）。伝搬路推定部２０４３は、チャネル状態の抽出に成功した復調用参照信号に関連付けられる端末装置２０が、上りリンクの物理チャネルを送信したと判断する。多重分離部２０４２は、伝搬路推定部２０４３が上りリンクの物理チャネルが送信されたと判断したリソースにおいて、ＦＦＴ部２０４１から入力された周波数領域の信号（複数の端末装置２０の信号が含まれる）を抽出する。
【００７０】
多重分離部２０４２は、前記抽出した周波数領域の上りリンク信号に含まれる上りリンクの物理チャネル（物理上りリンク制御チャネル、物理上りリンク共有チャネル）等を分離抽出する。多重分離部は、物理上りリンクチャネルを信号検出部２０４４／制御部２０８に出力する。
【００７１】
信号検出部２０４４は、伝搬路推定部２０４３で推定されたチャネル推定結果及び多重分離部２０４２から入力される前記周波数領域の信号を用いて、各端末装置の上りリンクのデータ（上りリンクの物理チャネル）の信号を検出する。信号検出部２０４４は、上りリンクのデータを送信したと判断した端末装置２０に割当てた復調用参照信号（チャネル状態の抽出に成功した復調用参照信号）に関連付けられた端末装置２０の信号の検出処理を行う。
【００７２】
図４は、本実施形態に係る信号検出部の一例を示す図である。信号検出部２０４４は、等化部２５０４、多元接続信号分離部２５０６−１〜２５０６−ｕ、ＩＤＦＴ部２５０８−１〜２５０８−ｕ、復調部２５１０−１〜２５１０−ｕ、復号部２５１２−１〜２５１２−ｕから構成される。ｕは、グラントフリーアクセスの場合、同一又は重複するマルチアクセスの物理リソースにおいて（同一時間及び同一周波数において）、伝搬路推定部２０４３が上りリンクのデータを送信したと判断（チャネル状態の抽出に成功）した端末装
置数である。ｕは、スケジュールドアクセスの場合、ＤＣＩで同一又は重複するマルチアクセスの物理リソースにおいて（同一時間、例えばＯＦＤＭシンボル、スロットにおいて）、上りリンクのデータ送信を許可した端末装置数である。信号検出部２０４４を構成する各部位は、制御部２０８から入力される各端末装置のグラントフリーアクセスに関する設定を用いて、制御される。
【００７３】
等化部２５０４は、伝搬路推定部２０４３より入力された周波数応答よりＭＭＳＥ規範に基づく等化重みを生成する。ここで、等化処理は、ＭＲＣやＺＦを用いても良い。等化部２５０４は、該等化重みを多重分離部２０４２から入力される周波数領域の信号（各端末装置の信号が含まれる）に乗算し、各端末装置の周波数領域の信号を抽出する。等化部２５０４は、等化後の各端末装置の周波数領域の信号をＩＤＦＴ部２５０８−１〜２５０８−ｕに出力する。ここで、信号波形をＤＦＴＳ−ＯＦＤＭとした端末装置２０が送信したデータを検出する場合、ＩＤＦＴ部２５０８−１〜２５０８−ｕに周波数領域の信号を出力する。また、信号波形をＯＦＤＭとした端末装置２０が送信したデータを受信する場合、多元接続信号分離部２５０６−１〜２５０６−ｕに周波数領域の信号を出力する。
【００７４】
ＩＤＦＴ部２５０８−１〜２５０８−ｕは、等化後の各端末装置の周波数領域の信号を時間領域の信号に変換する。なお、ＩＤＦＴ部２５０８−１〜２５０８−ｕは、端末装置２０のＤＦＴ部で施された処理に対応する。多元接続信号分離部２５０６−１〜２５０６−ｕは、ＩＤＦＴ後の各端末装置の時間領域の信号に対して、マルチアクセス署名リソースにより多重されている信号を分離する（多元接続信号分離処理）。例えば、マルチアクセス署名リソースとして符号拡散を用いた場合は、多元接続信号分離部２５０６−１〜２５０６−ｕの各々は、各端末装置に割当てられた拡散符号系列を用いて、逆拡散処理を行う。なお、マルチアクセス署名リソースとしてインターリーブが適用される場合、ＩＤＦＴ後の各端末装置の時間領域の信号に対して、デインターリーブ処理が行われる（デインターリーブ部）。
【００７５】
復調部２５１０−１〜２５１０−ｕには、予め通知されている、又は予め決められている各端末装置の変調方式の情報（ＢＰＳＫ、ＱＰＳＫ、１６ＱＡＭ、６４ＱＡＭ、２５６ＱＡＭ等）が制御部２０８から入力される。復調部２５１０−１〜２５１０−ｕは、前記変調方式の情報に基づき、多元接続信号の分離後の信号に対して復調処理を施し、ビット系列のＬＬＲ（Log Likelihood Ratio）を出力する。
【００７６】
復号部２５１２−１〜２５１２−ｕには、予め通知されている、又は予め決められている符号化率の情報が制御部２０８から入力される。復号部２５１２−１〜２５１２−ｕは、前記復調部２５１０−１〜２５１０−ｕから出力されたＬＬＲの系列に対して復号処理を行い、復号した上りリンクのデータ／上りリンク制御情報を上位層処理部２０６へ出力する。逐次干渉キャンセラ（ＳＩＣ: Successive Interference Canceller）やターボ等
化等のキャンセル処理を行うために、復号部２５１２−１〜２５１２−ｕは、復号部出力の外部ＬＬＲもしくは事後ＬＬＲからレプリカを生成し、キャンセル処理をしても良い。外部ＬＬＲと事後ＬＬＲの違いは、それぞれ復号後のＬＬＲから復号部２５１２−１〜２５１２−ｕに入力される事前ＬＬＲを減算するか、否かである。復号部２５１２−１〜２５１２−ｕは、ＳＩＣやターボ等化の繰り返し回数が所定の回数に達した場合、復号処理後のＬＬＲに対して硬判定を行い、各端末装置における上りリンクのデータのビット系列を、上位層処理部２０６に出力しても良い。なお、ターボ等化処理を用いた信号検出に限らず、レプリカ生成し、干渉除去を用いない信号検出や最尤検出、ＥＭＭＳＥ−ＩＲＣなどを用いることもできる。
【００７７】
制御部２０８は、上りリンクの物理チャネル（物理上りリンク制御チャネル、物理上りリンク共有チャネル等）に含まれる上りリンク受信に関する設定情報／下りリンク送信に
関する設定情報（基地局装置から端末装置へＤＣＩやＲＲＣ、ＳＩＢなどで通知）を用いて、受信部２０４及び送信部２１０の制御を行う。制御部２０８は、前記上りリンク受信に関する設定情報／下りリンク送信に関する設定情報を上位層処理部２０６から取得する。送信部２１０が物理下りリンク制御チャネルを送信する場合、制御部２０８は、下りリンク制御情報（ＤＣＩ：Downlink Control information）を生成し、送信部２１０に出力する。なお、制御部１０８の機能の一部は、上位層処理部１０２に含めることができる。なお、制御部２０８はデータ信号に付加するＣＰの長さのパラメータに従って、送信部２１０を制御しても良い。
【００７８】
上位層処理部２０６は、媒体アクセス制御（ＭＡＣ：Medium Access Control）層、パ
ケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層などの物理層より上位層の処理を行なう。上位層処理部２０６は、送信部２１０および受信部２０４の制御を行なうために必要な情報を生成し、制御部２０８に出力する。上位層処理部２０６は、下りリンクのデータ（例えば、ＤＬ−ＳＣＨ）、報知情報（例えば、ＢＣＨ）、ハイブリッド自動再送要求（Hybrid Automatic Request）インジケータ（ＨＡＲＱインジケータ）などを送信部２１０に出力する。上位層処理部２０６は、端末装置からサポートしている端末装置の機能（UE capability）に関する情報を受
信部２０４から入力される。例えば、上位層処理部２０６は、前記端末装置の機能に関する情報をＲＲＣ層のシグナリングで受信する。
【００７９】
前記端末装置の機能に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００８０】
前記端末装置の機能に関する情報は、グラントフリーアクセスをサポートすることを示す情報（UL-TWG-type1とUL-TWG-type2をそれぞれサポートするか否かの情報）を含む。グラントフリーアクセスに対応する機能が複数ある場合、上位層処理部２０６は、機能毎にサポートするかどうかを示す情報を受信することができる。グラントフリーアクセスをサポートすることを示す情報は、端末装置がサポートしているマルチアクセスの物理リソース、マルチアクセス署名リソースを示す情報を含む。グラントフリーアクセスをサポートすることを示す情報は、前記マルチアクセスの物理リソース、マルチアクセス署名リソースの設定のための参照テーブルの設定を含んでもよい。グラントフリーアクセスをサポートすることを示す情報は、アンテナポート、スクランブリングアイデンティティ及びレイヤ数を示す複数のテーブルに対応している能力、所定数のアンテナポート数に対応している能力、所定の送信モードに対応している能力の一部又は全部を含んでも良い。送信モードは、アンテナポート数、送信ダイバーシチ、レイヤ数、グラントフリーアクセスのサポート等の有無により定められる。
【００８１】
前記端末装置の機能に関する情報は、ＵＲＬＬＣに関する機能をサポートすることを示す情報を含んでも良い。例えば、上りリンクのダイナミックスケジューリングやＳＰＳ／グラントフリーアクセスや下りリンクのダイナミックスケジューリングやＳＰＳのＤＣＩ
フォーマットとして、ＤＣＩフォーマット内のフィールドの合計のビット数の少ないｃｏｍｐａｃｔ  ＤＣＩフォーマットがあり、前記端末装置の機能に関する情報はｃｏｍｐａｃｔ  ＤＣＩフォーマットの受信処理（ブラインドデコーディング）をサポートすることを示す情報を含んでも良い。ＤＣＩフォーマットは、ＰＤＣＣＨのサーチスペースに配置されて送信されるが、アグリゲーションレベル毎に使用できるリソース数が決まっている。そのため、ＤＣＩフォーマット内のフィールドの合計のビット数が多いと高い符号化率の伝送となり、ＤＣＩフォーマット内のフィールドの合計のビット数が少ないと低い符号化率の伝送となる。そのため、ＵＲＬＬＣのような高信頼性が要求される場合は、ｃｏｍｐａｃｔ  ＤＣＩフォーマットを使用することが好ましい。なお、ＬＴＥやＮＲではＤＣＩフォーマットは予め決められたリソースエレメント（サーチスペース）にＤＣＩフォーマットを置く。そのため、リソースエレメント数（アグリゲーションレベル）を一定とすると、ペイロードサイズの大きいＤＣＩフォーマットはペイロードサイズの小さいＤＣＩフォーマットと比較して、高い符号化率の送信となり、高信頼性を満たすことが難しくなる。
【００８２】
上位層処理部２０６は、端末装置の各種設定情報の管理をする。前記各種設定情報の一部は、制御部２０８に入力される。各種設定情報は、送信部２１０を介して下りリンクの物理チャネルを用いて、基地局装置１０から送信される。前記各種設定情報は、送信部２１０から入力されたグラントフリーアクセスに関する設定情報を含む。前記グラントフリーアクセスに関する設定情報は、マルチアクセスリソース（マルチアクセスの物理リソース、マルチアクセス署名リソース）の設定情報を含む。例えば、上りリンクのリソースブロック設定（使用するＯＦＤＭシンボルの開始位置とＯＦＤＭシンボル数／リソースブロック数）、復調用参照信号／識別信号の設定（参照信号系列、サイクリックシフト、マッピングされるＯＦＤＭシンボル等）、拡散符号設定（Ｗａｌｓｈ符号、ＯＣＣ；Orthogonal Cover Code、スパース符号やこれらの拡散符号の拡散率など）、インターリーブ設定
、送信電力設定、送受信アンテナ設定、送受信ビームフォーミング設定、等のマルチアクセス署名リソースに関する設定（端末装置２０が送信した上りリンクの物理チャネルを同定するための目印に基づいて施される処理に関する設定）が含まれうる。これらのマルチアクセス署名リソースは、直接的又は間接的に、関連付けられてもよい（結び付けられてもよい）。マルチアクセス署名リソースの関連付けは、マルチアクセス署名プロセスインデックスによって示される。また、前記グラントフリーアクセスに関する設定情報には、前記マルチアクセスの物理リソース、マルチアクセス署名リソースの設定のための参照テーブルの設定が含まれてもよい。前記グラントフリーアクセスに関する設定情報は、グラントフリーアクセスのセットアップ、リリースを示す情報、上りリンクのデータ信号に対するＡＣＫ／ＮＡＣＫの受信タイミング情報、上りリンクのデータ信号の再送タイミング情報などを含めてもよい。
【００８３】
上位層処理部２０６は、制御情報として通知したグラントフリーアクセスに関する設定情報に基づいて、グラントフリーで上りリンクのデータ（トランスポートブロック）のマルチアクセスリソース（マルチアクセスの物理リソース、マルチアクセス署名リソース）を管理する。上位層処理部２０６は、グラントフリーアクセスに関する設定情報に基づき、受信部２０４を制御するための情報を制御部２０８に出力する。
【００８４】
上位層処理部２０６は、生成された下りリンクのデータ（例えば、ＤＬ−ＳＣＨ）を、送信部２１０に出力する。前記下りリンクのデータには、ＵＥ  ＩＤ（ＲＮＴＩ）を格納するフィールドを有しても良い。上位層処理部２０６は、前記下りリンクのデータにＣＲＣを付加する。前記ＣＲＣのパリティビットは、前記下りリンクのデータを用いて生成される。前記ＣＲＣのパリティビットは、宛先の端末装置に割当てられたＵＥ  ＩＤ（ＲＮＴＩ）でスクランブル（排他的論理和演算、マスク、暗号化とも呼ぶ）される。ただし、ＲＮＴＩは前述の通り、複数の種類が存在し、送信するデータなどによって使用するＲＮ
ＴＩが異なる。
【００８５】
上位層処理部２０６は、ブロードキャストするシステムインフォメーション（ＭＩＢ、ＳＩＢ）を生成、又は上位ノードから取得する。上位層処理部２０６は、前記ブロードキャストするシステムインフォメーションを送信部２１０に出力する。前記ブロードキャストするシステムインフォメーションは、基地局装置１０がグラントフリーアクセスをサポートすることを示す情報を含めることができる。上位層処理部２０６は、前記システムインフォメーションに、グラントフリーアクセスに関する設定情報（マルチアクセスの物理リソース、マルチアクセス署名リソースなどのマルチアクセスリソースに関する設定情報など）の一部又は全部を含めることができる。上りリンク前記システム制御情報は、送信部２１０において、物理報知チャネル／物理下りリンク共有チャネルにマッピングされる。
【００８６】
上位層処理部２０６は、物理下りリンク共有チャネルにマッピングされる下りリンクのデータ（トランスポートブロック）、システムインフォメーション（ＳＩＢ）、ＲＲＣメッセージ、ＭＡＣ  ＣＥなどを生成、又は上位ノードから取得し、送信部２１０に出力する。上位層処理部２０６は、これらの上位層の信号にグラントフリーアクセスに関する設定情報、グラントフリーアクセスのセットアップ、リリースを示すパラメータの一部又は全部を含めることができる。上位層処理部２０６は、グラントフリーアクセスに関する設定情報を通知するための専用ＳＩＢを生成してもよい。
【００８７】
上位層処理部２０６は、グラントフリーアクセスをサポートしている端末装置２０に対して、マルチアクセスリソースをマッピングする。基地局装置１０は、マルチアクセス署名リソースに関する設定パラメータの参照テーブルを保持しても良い。上位層処理部２０６は、前記端末装置２０に対して各設定パラメータを割当てる。上位層処理部２０６は、前記マルチアアクセス署名リソースを用いて、各端末装置に対するグラントフリーアクセスに関する設定情報を生成する。上位層処理部２０６は、各端末装置に対するグラントフリーアクセスに関する設定情報の一部又は全部を含む下りリンク共有チャネルを生成する。上位層処理部２０６は、前記グラントフリーアクセスに関する設定情報を、制御部２０８／送信部２１０に出力する。
【００８８】
上位層処理部２０６は、各端末装置に対してＵＥ  ＩＤを設定し、通知する。ＵＥ  ＩＤは、無線ネットワーク一時的識別子（ＲＮＴＩ：Cell Radio Network Temporary Identifier）を用いることができる。ＵＥ  ＩＤは、下りリンク制御チャネル、下りリンク共
有チャネルに付加されるＣＲＣのスクランブルに用いられる。ＵＥ  ＩＤは、上りリンク共有チャネルに付加されるＣＲＣのスクランブリングに用いられる。ＵＥ  ＩＤは、上りリンク参照信号系列の生成に用いられる。上位層処理部２０６は、ＳＰＳ／グラントフリーアクセス固有のＵＥ  ＩＤを設定してもよい。上位層処理部２０６は、グラントフリーアクセスをサポートする端末装置か否かで区別して、ＵＥ  ＩＤを設定してもよい。例えば、下りリンクの物理チャネルがスケジュールドアクセスで送信され、上りリンクの物理チャネルがグラントフリーアクセスで送信される場合、下りリンクの物理チャネル用ＵＥ
ＩＤは、下りリンクの物理チャネル用ＵＥ  ＩＤと区別して設定してもよい。上位層処理部２０６は、前記ＵＥ  ＩＤに関する設定情報を、送信部２１０／制御部２０８／受信部２０４に出力する。
【００８９】
上位層処理部２０６は、物理チャネル（物理下りリンク共有チャネル、物理上りリンク共有チャネルなど）の符号化率、変調方式（あるいはＭＣＳ）および送信電力などを決定する。上位層処理部２０６は、前記符号化率／変調方式／送信電力を送信部２１０／制御部２０８／受信部２０４に出力する。上位層処理部２０６は、前記符号化率／変調方式／送信電力を上位層の信号に含めることができる。
【００９０】
送信部２１０は、送信する下りリンクのデータが発生した場合、物理下りリンク共有チャネルを送信する。また、送信部２１０は、ＤＬ  Ｇｒａｎｔによりデータ送信用のリソースを送信している場合、スケジュールドアクセスで物理下りリンク共有チャネルを送信し、ＳＰＳをアクティベーション時はＳＰＳの物理下りリンク共有チャネルを送信しても良い。送信部２１０は、制御部２０８から入力されたスケジュールドアクセス／ＳＰＳに関する設定に従って、物理下りリンク共有チャネル及びそれに関連付けられた復調用参照信号／制御信号を生成する。
【００９１】
符号化部２１００は、予め定められた／制御部２０８が設定した符号化方式を用いて、上位層処理部２０６から入力された下りリンクのデータを符号化する（リピティションを含む）。符号化方式は、畳み込み符号化、ターボ符号化、ＬＤＰＣ（Low Density Parity
Check）符号化、Ｐｏｌａｒ符号化、等を適用することができる。データ送信ではＬＤＰＣ符号、制御情報の送信ではＰｏｌａｒ符号を用い、使用する下りリンクのチャネルによって異なる誤り訂正符号化を用いても良い。また、送信するデータや制御情報のサイズによって異なる誤り訂正符号化を用いても良く、例えばデータサイズが所定の値よりも小さい場合には畳み込み符号を用い、それ以外は前記の訂正符号化を用いても良い。前記符号化は、符号化率１／３に加え、低い符号化率１／６や１／１２などのマザーコードを用いてもよい。また、マザーコードより高い符号化率を用いる場合には、レートマッチング（パンクチャリング）によりデータ伝送に用いる符号化率を実現しても良い。変調部２１０２は、符号化部２１００から入力された符号化ビットをＢＰＳＫ、ＱＰＳＫ、１６ＱＡＭ、６４ＱＡＭ、２５６ＱＡＭ等（π／２シフトＢＰＳＫ、π／４シフトＱＰＳＫも含んでもよい）の下りリンク制御情報で通知された変調方式または、チャネル毎に予め定められた変調方式で変調する。
【００９２】
多元接続処理部２１０６は、変調部２１０２から出力される系列に対して、制御部２０８から入力されるマルチアクセス署名リソースに従って、複数のデータが多重されても基地局装置１０が信号の検出が可能なように信号を変換する。マルチアクセス署名リソースが拡散の場合は、拡散符号系列の設定に従って拡散符号系列を乗算する。なお、なお、多元接続処理部２１０６は、マルチアクセス署名リソースとしてインターリーブが設定された場合、前記多元接続処理部２１０６は、インターリーブ部に置換えることができる。インターリーブ部は、変調部２１０２から出力される系列に対して、制御部２０８から入力されるインターリーブパターンの設定に従ってインターリーブ処理を行う。マルチアクセス署名リソースとして符号拡散及びインターリーブが設定された場合、送信部２１０は、多元接続処理部２１０６は拡散処理とインターリーブを行う。その他のマルチアクセス署名リソースが適用された場合でも、同様であり、スパース符号などを適用しても良い。
【００９３】
多元接続処理部２１０６は、信号波形をＯＦＤＭとする場合、多元接続処理後の信号を多重部２１０８に入力する。下りリンク参照信号生成部２１１２は、制御部２０８から入力される復調用参照信号の設定情報に従って、復調用参照信号を生成する。復調用参照信号／識別信号の設定情報は、基地局装置が下りリンク制御情報で通知するＯＦＤＭシンボル数、ＤＭＲＳの配置するＯＦＤＭシンボル位置、サイクリックシフト、時間領域の拡散などの情報を基に、予め定められた規則で求まる系列を生成する。
【００９４】
多重部２１０８は、下りリンクの物理チャネルと下りリンク参照信号を送信アンテナポート毎にリソースエレメントへ多重（マッピング、配置）する。多重部２１０８は、ＳＣＭＡを用いる場合、制御部２０８から入力されるＳＣＭＡリソースパターンに従って、前記下りリンクの物理チャネルをリソースエレメントに配置する。
【００９５】
ＩＦＦＴ部２１０９は多重された信号を逆高速フーリエ変換（Inverse Fast Fourier  
Transform: IFFT）して、ＯＦＤＭ方式の変調を行い、ＯＦＤＭシンボルを生成する。無
線送信部２１１０は、前記ＯＦＤＭ方式の変調されたシンボルにＣＰを付加し、ベースバンドのディジタル信号を生成する。さらに、無線送信部２１１０は、前記ベースバンドのディジタル信号をアナログ信号に変換し、余分な周波数成分を除去し、アップコンバートにより搬送周波数に変換し、電力増幅し、送信アンテナ２１２を介して端末装置２０に送信する。無線送信部２１１０は、送信電力制御機能（送信電力制御部）を含む。前記送信電力制御は、制御部２０８から入力される送信電力の設定情報に従う。なお、ＦＢＭＣ、ＵＦ−ＯＦＤＭ、Ｆ−ＯＦＤＭが適用される場合、前記ＯＦＤＭシンボルに対して、サブキャリア単位又はサブバンド単位でフィルタ処理が行われる。
【００９６】
図５は、本実施形態における端末装置２０の構成を示す概略ブロック図である。基地局装置１０は、上位層処理部（上位層処理ステップ）１０２、送信部（送信ステップ）１０４、送信アンテナ１０６、制御部（制御ステップ）１０８、受信アンテナ１１０、受信部（受信ステップ）１１２を含んで構成される。送信部１０４は、符号化部（符号化ステップ）１０４０、変調部（変調ステップ）１０４２、多元接続処理部（多元接続処理ステップ）１０４３、多重部（多重ステップ）１０４４、ＤＦＴ部（ＤＦＴステップ）１０４５、上りリンク制御信号生成部（上りリンク制御信号生成ステップ）１０４６、上りリンク参照信号生成部（上りリンク参照信号生成ステップ）１０４８、ＩＦＦＴ部１０４９（ＩＦＦＴステップ）及び無線送信部（無線送信ステップ）１０５０を含んで構成される。受信部１１２は、無線受信部（無線受信ステップ）１１２０、ＦＦＴ部（ＦＦＴステップ）１１２１、伝搬路推定部（伝搬路推定ステップ）１１２２、多重分離部（多重分離ステップ）１１２４及び信号検出部（信号検出ステップ）１１２６を含んで構成される。
【００９７】
上位層処理部１０２は、媒体アクセス制御（ＭＡＣ：Medium Access Control）層、パ
ケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層などの物理層より上位層の処理を行なう。上位層処理部１０２は、送信部１０４および受信部１１２の制御を行なうために必要な情報を生成し、制御部１０８に出力する。上位層処理部１０２は、上りリンクのデータ（例えば、ＵＬ−ＳＣＨ）、上りリンクの制御情報のなどを送信部１０４に出力する。
【００９８】
上位層処理部１０２は、端末装置の機能（UE capability）等の端末装置に関する情報
を、基地局装置１０から（送信部１０４を介して）送信する。端末装置に関する情報は、グラントフリーアクセスやｃｏｍｐａｃｔ  ＤＣＩの受信／検出／ブラインドデコーディングをサポートすることを示す情報、その機能毎にサポートするかどうかを示す情報を含む。グラントフリーアクセスをサポートすることを示す情報、その機能毎にサポートするかどうかを示す情報は、送信モードで区別されてもよい。
【００９９】
制御部１０８は、上位層処理部１０２から入力された各種設定情報に基づいて、送信部１０４および受信部１１２の制御を行なう。制御部１０８は、上位層処理部１０２から入力された制御情報に関する設定情報に基づいて、上りリンク制御情報（ＵＣＩ）を生成し、送信部１０４に出力する。
【０１００】
送信部１０４は、各端末装置のために、上位層処理部１０２から入力された上りリンク制御情報、上りリンク共有チャネル等を符号化および変調し、物理上りリンク制御チャネル、物理上りリンク共有チャネルを生成する。符号化部１０４０は、予め定められた／制御情報で通知された符号化方式を用いて、上りリンク制御情報、上りリンク共有チャネルを符号化する（リピティションを含む）。符号化方式は、畳み込み符号化、ターボ符号化、ＬＤＰＣ（Low Density Parity Check）符号化、Ｐｏｌａｒ符号化、等を適用することができる。変調部１０４２は、符号化部１０４０から入力された符号化ビットをＢＰＳＫ
、ＱＰＳＫ、１６ＱＡＭ、６４ＱＡＭ、２５６ＱＡＭ等の予め定められた／制御情報で通知された変調方式で変調する。
【０１０１】
多元接続処理部１０４３は、変調部１０４２から出力される系列に対して、制御部１０８から入力されるマルチアクセス署名リソースに従って、複数のデータが多重されても基地局装置１０が信号の検出が可能なように信号を変換する。マルチアクセス署名リソースが拡散の場合は、拡散符号系列の設定に従って拡散符号系列を乗算する。前記拡散符号系列の設定は、前記復調用参照信号／識別信号などの他のグラントフリーアクセスに関する設定と関連付けられても良い。なお、多元接続処理は、ＤＦＴ処理後の系列に対して行ってもよい。なお、多元接続処理部１０４３は、マルチアクセス署名リソースとしてインターリーブが設定された場合、前記多元接続処理部１０４３は、インターリーブ部に置換えることができる。インターリーブ部は、ＤＦＴ部から出力される系列に対して、制御部１０８から入力されるインターリーブパターンの設定に従ってインターリーブ処理を行う。マルチアクセス署名リソースとして符号拡散及びインターリーブが設定された場合、送信部１０４は、多元接続処理部１０４３は拡散処理とインターリーブを行う。その他のマルチアクセス署名リソースが適用された場合でも、同様であり、スパース符号などを適用しても良い。
【０１０２】
多元接続処理部１０４３は、信号波形をＤＦＴＳ−ＯＦＤＭとするか、ＯＦＤＭとするかによって、多元接続処理後の信号をＤＦＴ部１０４５もしくは多重部１０４４に入力する。信号波形をＤＦＴＳ−ＯＦＤＭとする場合、ＤＦＴ部１０４５は、多元接続処理部１０４３から出力される多元接続処理後の変調シンボルを並列に並び替えてから離散フーリエ変換（Discrete Fourier Transform: DFT）処理をする。ここで，前記変調シンボルに
ゼロのシンボル列を付加して、ＤＦＴを行うことでＩＦＦＴ後の時間信号にＣＰの代わりにゼロ区間を使う信号波形としても良い。また、変調シンボルにＧｏｌｄ系列やＺａｄｏｆｆ−Ｃｈｕ系列などの特定の系列を付加して、ＤＦＴを行うことでＩＦＦＴ後の時間信号にＣＰの代わりに特定パターンを使う信号波形としても良い。信号波形をＯＦＤＭとする場合は、ＤＦＴを適用しないため、多元接続処理後の信号を多重部１０４４に入力する。制御部１０８は、前記グラントフリーアクセスに関する設定情報に含まれる前記ゼロのシンボル列の設定（シンボル列のビット数など）、前記特定の系列の設定（系列の種(seed)、系列長など）を用いて、制御する。
【０１０３】
上りリンク制御信号生成部１０４６は、制御部１０８から入力される上りリンク制御情報にＣＲＣを付加して、物理上りリンク制御チャネルを生成する。上りリンク参照信号生成部１０４８は、上りリンク参照信号を生成する。
【０１０４】
多重部１０４４は、多元接続処理部１０４３もしくはＤＦＴ部１０４５の変調された各上りリンクの物理チャネルの変調シンボル、物理上りリンク制御チャネルと上りリンク参照信号をリソースエレメントにマッピングする。多重部１０４４は、物理上りリンク共有チャネル、物理上りリンク制御チャネルを、各端末装置に割当てられたリソースにマッピングする。
【０１０５】
ＩＦＦＴ部１０４９は、多重された各上りリンクの物理チャネルの変調シンボルを逆高速フーリエ変換（Inverse Fast Fourier Transform: IFFT）してＯＦＤＭシンボルを生成する。無線送信部１０５０は、前記ＯＦＤＭシンボルにサイクリックプレフィックス（cyclic prefix: CP）を付加してベースバンドのディジタル信号を生成する。さらに、無線
送信部１０５０は、前記ディジタル信号をアナログ信号に変換し、フィルタリングにより余分な周波数成分を除去し、搬送周波数にアップコンバートし、電力増幅し、送信アンテナ１０６に出力して送信する。
【０１０６】
受信部１１２は、基地局装置１０から送信された下りリンクの物理チャネルを、復調用参照信号を用いて検出する。受信部１１２は、基地局装置より制御情報（ＤＣＩやＲＲＣ、ＳＩＢなど）で通知された設定情報に基づいて、下りリンクの物理チャネルの検出を行う。ここで、受信部１１２は、ＰＤＣＣＨに含まれるサーチスペースに対して、予め決められている、もしくは上位層の制御情報（ＲＲＣシグナリング）で通知されている候補に対してブラインドデコーディングを行う。受信部１１２は、ブラインドデコーディングの結果、Ｃ−ＲＮＴＩやＣＳ−ＲＮＴＩ、その他のＲＮＴＩでスクランブルされているＣＲＣを使い、ＤＣＩを検出する。ブラインドデコーディングは、受信部１１２内の信号検出部１１２６で行われても良いし、図中には記載していないが、別途、制御信号検出部（制御情報検出部）を有して、制御信号検出部で行われても良い。また、受信部１１２はＲＲＣを検出／受信する場合、受信部１１２内の信号検出部１１２６で行われても良い。
【０１０７】
無線受信部１１２０は、受信アンテナ１１０を介して受信した上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。ＦＦＴ部１１２１は、ＣＰを除去した信号に対して高速フーリエ変換（Fast Fourier Transform: FFT）を行い、周波数領域の信号を抽出する。
【０１０８】
伝搬路推定部１１２２は、復調用参照信号を用いて、下りリンクの物理チャネルの信号検出のためのチャネル推定を行う。伝搬路推定部１１２２には、復調用参照信号がマッピングされているリソース及び各端末装置に割当てた復調用参照信号系列が制御部１０８から入力される。伝搬路推定部１１２２は、前記復調用参照信号系列を用いて、基地局装置１０と端末装置２０の間のチャネル状態（伝搬路状態）を測定する。多重分離部１１２４は、無線受信部１１２０から入力された周波数領域の信号（複数の端末装置２０の信号が含まれる）を抽出する。信号検出部１１２６は、前記チャネル推定結果及び多重分離部１１２４から入力される前記周波数領域の信号を用いて、下りリンクのデータ（上りリンクの物理チャネル）の信号を検出する。
【０１０９】
上位層処理部１０２は、信号検出部１１２６から下りリンクのデータ（硬判定後のビット系列）を取得する。上位層処理部１０２は、各端末装置の復号後の下りリンクのデータに含まれるＣＲＣに対して、各端末に割当てたＵＥ  ＩＤ（ＲＮＴＩ）を用いて、デスクランブル（排他的論理和演算）を行う。上位層処理部１０２は、デスクランブルによる誤り検出の結果、下りリンクのデータに誤りが無い場合、下りリンクのデータを正しく受信できたと判断する。
【０１１０】
図６は、本実施形態に係る信号検出部の一例を示す図である。信号検出部１１２６は、等化部１５０４、多元接続信号分離部１５０６−１〜１５０６−ｃ、復調部１５１０−１〜１５１０−ｃ、復号部１５１２−１〜１５１２−ｃから構成される。
【０１１１】
等化部１５０４は、伝搬路推定部１１２２より入力された周波数応答よりＭＭＳＥ規範に基づく等化重みを生成する。ここで、等化処理は、ＭＲＣやＺＦを用いても良い。等化部１５０４は、該等化重みを多重分離部１１２４から入力される周波数領域の信号に乗算し、周波数領域の信号を抽出する。等化部１５０４は、等化後の周波数領域の信号を多元接続信号分離部１５０６−１〜１５０６−ｃに出力する。ｃは１以上であり、同一サブフレーム、同一スロット、同一ＯＦＤＭシンボルで受信した信号、例えばＰＵＳＣＨとＰＵＣＣＨなどの数である。その他の下りリンクのチャネルの受信を同一のタイミングで受信としても良い。
【０１１２】
多元接続信号分離部１５０６−１〜１５０６−ｃは、時間領域の信号に対して、マルチアクセス署名リソースにより多重されている信号を分離する（多元接続信号分離処理）。例えば、マルチアクセス署名リソースとして符号拡散を用いた場合は、多元接続信号分離部１５０６−１〜１５０６−ｃの各々は、使用された拡散符号系列を用いて、逆拡散処理を行う。なお、マルチアクセス署名リソースとしてインターリーブが適用される場合、時間領域の信号に対して、デインターリーブ処理が行われる（デインターリーブ部）。
【０１１３】
復調部１５１０−１〜１５１０−ｃには、予め通知されている、又は予め決められている変調方式の情報が制御部１０８から入力される。復調部１５１０−１〜１５１０−ｃは、前記変調方式の情報に基づき、多元接続信号の分離後の信号に対して復調処理を施し、ビット系列のＬＬＲ（Log Likelihood Ratio）を出力する。
【０１１４】
復号部１５１２−１〜１５１２−ｃには、予め通知されている、又は予め決められている符号化率の情報が制御部１０８から入力される。復号部１５１２−１〜１５１２−ｃは、前記復調部１５１０−１〜１５１０−ｃから出力されたＬＬＲの系列に対して復号処理を行う。逐次干渉キャンセラ（ＳＩＣ: Successive Interference Canceller）やターボ
等化等のキャンセル処理を行うために、復号部１５１２−１〜１５１２−ｃは、復号部出力の外部ＬＬＲもしくは事後ＬＬＲからレプリカを生成し、キャンセル処理をしても良い。外部ＬＬＲと事後ＬＬＲの違いは、それぞれ復号後のＬＬＲから復号部１５１２−１〜１５１２−ｃに入力される事前ＬＬＲを減算するか、否かである。
【０１１５】
上りリンクの送信電力制御はＰＰＵＳＣＨ,ｆ,ｃ（ｉ,ｊ,ｑｄ,ｌ）＝ｍｉｎ｛ＰＣＭ
ＡＸ,ｆ,ｃ（ｉ），ＰＯ＿ＰＵＳＣＨ,ｆ,ｃ（ｊ）＋１０ｌｏｇ１０（２μＭＰＵＳＣＨ＿ＲＢ,ｆ,ｃ（ｉ））＋αｆ,ｃ（ｊ）・ＰＬｆ,ｃ（ｑｄ）＋ΔＴＦ,ｆ,ｃ（ｉ）＋ｆｆ,ｃ（ｉ,ｌ）｝で算出される。ここで、ｍｉｎは｛｝内で小さい値を選択するものとする。ＰＣＭＡＸ,ｆ,ｃ（ｉ）は、キャリアｆ、サービングセルｃにおけるｉ番目のサブフレームの端末装置の許容される最大送信電力であり、ＰＯ＿ＰＵＳＣＨ,ｆ,ｃ（ｊ）は上位層（ＲＲＣ）で設定されるキャリアｆ、サービングセルｃにおけるスケジューリングｊにおける１ＲＢあたりの名目上の目標受信電力、ｊはスケジューリングの種類や送信信号に依存する値であり、ｊ＝０はＲＡＣＨ、ｊ＝１はＳＰＳ／グラントフリーアクセス、ｊ＝２〜Ｊ−１はダイナミックスケジューリング用に上位層（ＲＲＣ）で複数設定された後、ＤＣＩ（例えばＳＲＩ（ＳＲＳ  Ｒｅｓｏｕｒｃｅ  Ｉｎｄｉｃａｔｏｒ）フィールド）で指定され、αｆ,ｃ（ｊ）はキャリアｆ、サービングセルｃにおけるフラクショナル送
信電力制御のパラメータ、ＰＬｆ,ｃ（ｑｄ）はサービングセルｃ、パスロス測定用の参
照信号のリソースｑｄにおけるパスロス、ΔＴＦ,ｆ,ｃ（ｉ）はキャリアｆ、サービングセルｃにおけるｉ番目のサブフレームの変調多値数によるパラメータ、ｆｆ,ｃ（ｉ,ｌ）はキャリアｆ、サービングセルｃにおける閉ループ制御を行うために基地局装置から端末装置に通知されるパラメータであり、ｌは複数の閉ループ制御を可能とするための変数である。例えば、通常はｌ＝１とし、上位層（ＲＲＣ）によりｌ＝｛１、２｝と設定されると、ｌ＝１もしくはｌ＝２のいずれかのＴＰＣコマンドを送信すると、一方のみに反映することが可能となる。また、ｌ＝１とｌ＝２の使い分けとして、ＳＰＳ／グラントフリーアクセスで使用するｌの値を設定することで、他方をダイナミックスケジューリング用として使用しても良い。送信電力の算出に用いるＰＯ＿ＰＵＳＣＨ,ｆ,ｃ（ｊ）は、ＰＯ＿ＮＯＭＩＮＡＬ＿ＰＵＳＣＨ,ｆ,ｃ（ｊ）とＰＯ＿ＵＥ＿ＰＵＳＣＨ,ｆ,ｃ（ｊ）の和で決まる。ＰＯ＿ＮＯＭＩＮＡＬ＿ＰＵＳＣＨ,ｆ,ｃ（ｊ）は、ｊ＝０の場合は上位層（ＲＲＣ）で通知されるＰＯ＿ＰＲＥとΔＰＲＥＡＭＢＬＥ＿Ｍｓｇ３の和で決まり、ｊ＝１、２の場合は上位層（ＲＲＣ）で設定され、それぞれＳＰＳ／グラントフリーアクセス用とダイナミックスケジューリング用の複数の値が設定される。ＰＯ＿ＵＥ＿ＰＵＳＣＨ,
ｃ（ｊ）は、ｊ＝０の場合は０であり、ｊ＝１、２の場合の値が上位層（ＲＲＣ）で通知され、それぞれＳＰＳ／グラントフリーアクセス用とダイナミックスケジューリング用の
複数の値が設定される。
【０１１６】
ＰＣＭＡＸ,ｆ,ｃ（ｉ）はＭＰＲ（Ｍａｘｉｍｕｍ  Ｐｏｗｅｒ  Ｒｅｄｕｃｔｉｏｎ）、Ａ−ＭＰＲ（Ａｄｄｉｔｉｏｎａｌ−ＭＰＲ）、Ｐ−ＭＰＲ（Ｐｏｗｅｒ  Ｍａｎａｇｅｍｅｎｔ−ＭＰＲ）から決まるＰＣＭＡＸ＿Ｌ,ｃ（ｉ）と、ＰＥＭＡＸ,ｃやＰＰｏｗｅｒＣｌａｓｓから決まるＰＣＭＡＸ＿Ｈ,ｃ（ｉ）の間で、端末装置の持つＰＡ（Ｐ
ｏｗｅｒ  Ａｍｐｌｉｆｉｅｒ）の能力に応じて設定される。
【０１１７】
目標受信電力のＰＯ＿ＰＵＳＣＨ,ｆ,ｃ（ｊ）とスケジューリングの種類により変わるフラクショナル送信電力制御のパラメータのαｆ,ｃ（ｊ）のみがＤＣＩで指定でき、ダ
イナミックに変更できる。ダイナミックスケジューリングで複数の目標受信電力のＰＯ＿ＰＵＳＣＨ,ｆ,ｃ（ｊ）のいずれを使用するかはＤＣＩのＳＲＩで指定する場合に、フォールバックのＤＣＩフォーマット０＿０にＳＲＩのフィールドが存在しないため、マルチアンテナ送信をサポートするＤＣＩフォーマット０＿１のＳＲＩのフィールドを使う。
【０１１８】
ＵＲＬＬＣのデータ送信ではＰＵＳＣＨのデータ送信の信頼性だけでなく、データ送信を許可するＰＤＣＣＨで送信されるＤＣＩフォーマットの信頼性も重要である。これは、ＤＣＩフォーマットの誤り率がＰＣＯＮＴとし、データの誤り率がＰＤＡＴＡとすると、ＤＣＩフォーマットの検出率も含めた上りリンクの誤り率ＰＴｏｔａｌ＝１−（１−ＰＣＯＮＴ）（１−ＰＤＡＴＡ）となる。つまり、ＰＴｏｔａｌが要求される信頼性（誤り率）を達成する必要があるため、上りリンクのデータ送信の信頼性（ＰＤＡＴＡ）だけでなく、ＤＣＩフォーマットの検出の信頼性（ＰＣＯＮＴ）も重要である。ここで、ＬＴＥやＮＲではＤＣＩフォーマットは予め決められたリソースエレメント（サーチスペース）にＤＣＩフォーマットを置く。そのため、リソースエレメント数（アグリゲーションレベル）を一定とすると、ペイロードサイズの大きいＤＣＩフォーマットはペイロードサイズの小さいＤＣＩフォーマットと比較して、高い符号化率の送信となり、高信頼性を満たすことが難しくなる。
【０１１９】
そこで、上りリンクのデータ送信用のＤＣＩフォーマット０＿０／０＿１のペイロードサイズを小さくしたｃｏｍｐａｃｔ  ＤＣＩ（Ｓｍａｌｌ  Ｓｉｚｅ  ＤＣＩ）、以下、上りリンクのデータ送信用のｃｏｍｐａｃｔ  ＤＣＩをＤＣＩフォーマット０＿ｃと記載する。また、下りリンクのデータ送信用のＤＣＩフォーマット１＿０／１＿１のペイロースサイズを小さくしたｃｏｍｐａｃｔ  ＤＣＩ（Ｓｍａｌｌ  Ｓｉｚｅ  ＤＣＩ）、以下、下りリンクのデータ送信用のｃｏｍｐａｃｔ  ＤＣＩをＤＣＩフォーマット１＿ｃと記載する。ＤＣＩフォーマット０＿ｃとＤＣＩフォーマット１＿ｃの例は、それぞれＤＣＩフォーマット０＿０とＤＣＩフォーマット１＿０の各フィールドのビット数を減らす、もしくは一部のフィールドをなくし、上位層の制御（ＲＲＣシグナリング）で通知する、もしくは予め決めた値として実現されても良い。具体的には、ＤＣＩフォーマット０＿ｃとＤＣＩフォーマット１＿ｃは、周波数領域のリソース割当の開始位置もしくはＲＢ数に制限（指定できる値を減らす）をかけてビット数を減らす、時間領域のリソース割当の開始のＯＦＤＭシンボル位置、データ送信に使用するＯＦＤＭシンボル数、ＤＣＩフォーマットを受信してからデータ送信までのスロット数の少なくとも一部に制限（指定できる値を減らす）をかけてビット数を減らす、としても良い。また、ＤＣＩフォーマット０＿ｃとＤＣＩフォーマット１＿ｃは、指定できるＭＣＳのエントリーを減らして（変調多値数、符号化率の高いＭＣＳを指定できない、偶数もしくは奇数のエントリーを指定できない）、としても良い。例えば、ＤＣＩフォーマット０＿ｃとＤＣＩフォーマット１＿ｃは、ＭＣＳを３ビットもしくは４ビットとし、ＤＣＩフォーマット０＿０／０＿１とＤＣＩフォーマット１＿０／１＿１はＭＣＳを５ビットとしても良い。また、ＤＣＩフォーマット０＿ｃとＤＣＩフォーマット１＿ｃは、指定できるＨＡＲＱプロセス番号に制限をかけてビット数を減らす、としても良い。
【０１２０】
ＵＲＬＬＣのデータ送信は、高信頼だけでなく低遅延も要求されるトラフィックであるため、データ送信前のリソース要求であるＲＡＣＨやＳＲ、ＤＣＩフォーマットによるＵＬ  Ｇｒａｎｔの受信が必要ないＳＰＳ／グラントフリーアクセスを活用できることが好ましい。そのため、ＵＲＬＬＣのデータ送信用にグラントフリーアクセス（Ｃｏｎｆｉｇｕｒｅｄ  Ｕｐｌｉｎｋ  Ｇｒａｎｔ、設定された上りリンクグラント）を設定し、ＵＲＬＬＣでないデータ送信はダイナミックスケジューリング(C-RNTI宛ての上りリンクグラ
ント)を設定しても良い。しかしながら、ダイナミックスケジューリングのC-RNTI宛ての
上りリンクグラントとＳＰＳ／グラントフリーアクセスのＣｏｎｆｉｇｕｒｅｄ  Ｕｐｌｉｎｋ  Ｇｒａｎｔ（設定された上りリンクグラント）が時間領域で重複する場合、データの要求条件に関わらず、ダイナミックスケジューリングのC-RNTI宛ての上りリンクグラントのみ使用しても良い。（ダイナミックスケジューリングのC-RNTI宛ての上りリンクグラントがＣｏｎｆｉｇｕｒｅｄ  Ｕｐｌｉｎｋ  Ｇｒａｎｔをオーバライド（ｏｖｅｒｒｉｄｅ）する。）
【０１２１】
図７に、従来の上りリンクグラントの通知の一例を示す。同図では、上述の通り、スロットｘのＰＤＣＣＨでＤＣＩフォーマットによるＳＰＳ／グラントフリーアクセスのＣｏｎｆｉｇｕｒｅｄ  Ｕｐｌｉｎｋ  Ｇｒａｎｔ（設定された上りリンクグラント）のアクティベーションが通知され、スロットｘ＋１のＰＤＣＣＨでＤＣＩフォーマットによるC-RNTI宛ての上りリンクグラントが通知されている。このとき、上りリンクのスロットｘ＋２とｘ＋３で上りリンクグラントが重複（時間領域の重複）しているため、C-RNTI宛ての上りリンクグラントのみ使用する。
【０１２２】
本実施形態では、ダイナミックスケジューリングのC-RNTI宛ての上りリンクグラントとＳＰＳ／グラントフリーアクセスのＣｏｎｆｉｇｕｒｅｄ  Ｕｐｌｉｎｋ  Ｇｒａｎｔ（設定された上りリンクグラント）のうち、使用する上りリンクグラントの切り換え方法について示す。本実施形態では、C-RNTI宛ての上りリンクグラント（ダイナミックスケジューリング）を通知するＤＣＩフォーマットとＣｏｎｆｉｇｕｒｅｄ  Ｕｐｌｉｎｋ  Ｇｒａｎｔ（設定された上りリンクグラント）を通知するＤＣＩフォーマットの種類によって使用する上りリンクグラントを切り替える。まずは、C-RNTI宛ての上りリンクグラントでは、ＤＣＩフォーマット０＿０／０＿１とｃｏｍｐａｃｔ  ＤＣＩであるＤＣＩフォーマット０＿ｃを使った通知が可能であり、高信頼が要求されるデータ送信ではＤＣＩフォーマット０＿ｃを使う。次に、ＳＰＳ  ｔｙｐｅ２のＣｏｎｆｉｇｕｒｅｄ  Ｕｐｌｉｎｋ
Ｇｒａｎｔ（設定された上りリンクグラント）では、アクティベーションでＤＣＩフォーマット０＿０／０＿１とｃｏｍｐａｃｔ  ＤＣＩであるＤＣＩフォーマット０＿ｃを使用することが可能であり、高信頼が要求されるデータ送信ではＤＣＩフォーマット０＿ｃを使ってアクティベーションをする。
【０１２３】
端末装置は、ＰＤＣＣＨの予め決められたサーチスペースをブラインドデコーディングすることでＤＣＩフォーマットを検出する。また、端末装置は、上位層の制御情報（ＲＲＣシグナリング）でｃｏｍｐａｃｔ  ＤＣＩであるＤＣＩフォーマット０＿ｃとＤＣＩフォーマット１＿ｃの一方もしくは両方のブラインドデコーディングが設定（ｓｅｔ  ｕｐ）された場合、上りリンクの設定時はＤＣＩフォーマット０＿０／０＿１とＤＣＩフォーマット０＿ｃのブラインドデコーディングを行い、下りリンクの設定時はＤＣＩフォーマット１＿０／１＿１とＤＣＩフォーマット１＿ｃのブラインドデコーディングを行う。
【０１２４】
図８に、第１の実施形態に係る上りリンクグラントの通知の一例を示す。同図では、スロットｘのＰＤＣＣＨでＣｏｍｐａｃｔ  ＤＣＩにより設定された上りリンクグラント（ＳＰＳ／グラントフリーアクセス  Ｔｙｐｅ２）のアクティベーションが通知され、スロットｘ＋１以降で各スロットに設定された上りリンクグラントが存在（１スロット周期の
無線リソース割当）する例である。次に、スロットｘ＋１において、ＤＣＩフォーマット０＿０／０＿１によりＣ−ＲＮＴＩ宛て上りリンクグラントの通知がされ、スロットｘ＋２とスロットｘ＋３にＣ−ＲＮＴＩ宛て上りリンクグラントが設定されている。この場合、スロットｘ＋２とスロットｘ＋３では、Ｃ−ＲＮＴＩ宛て上りリンクグラントとＣｏｍｐａｃｔ  ＤＣＩにより設定された上りリンクグラントが時間領域で重複（少なくとも一部のＯＦＤＭシンボルで重複）している。この場合、データ伝送は、Ｃｏｍｐａｃｔ  ＤＣＩにより設定された上りリンクグラントのみ使用しても良い。これは、ダイナミックスケジューリングとＳＰＳというようなスケジューリングの種別に関わらず、Ｃｏｍｐａｃｔ  ＤＣＩを使って設定された上りリンクグラントのみ使用することを意味している。
【０１２５】
ＤＣＩフォーマットにより使用する上りリンクグラントを決定する場合に、端末装置の持つトラフィック（バッファステータス）も考慮されても良い。これは、グラントフリーアクセス／ＳＰＳは、送信するデータがある場合のみで設定された上りリンクグラントでデータ送信を行い、それ以外は設定された上りリンクグラントでデータ送信を行わない。ここで、送信するデータがないとは、上位層がグラントフリーアクセス／ＳＰＳ（グラントなし上りリンク送信）のために割り当てられたリソースで送信するＴＢ（トランスポートブロック）が届かないことを意味しても良い。
【０１２６】
図８のように、Ｃ−ＲＮＴＩ宛て上りリンクグラントとＣｏｍｐａｃｔ  ＤＣＩにより設定された上りリンクグラントが時間領域で重複する場合に、Ｃ−ＲＮＴＩ宛て上りリンクグラントのためのトラフィックがあり、Ｃｏｍｐａｃｔ  ＤＣＩにより設定された上りリンクグラントのためのトラフィックがない場合はＣ−ＲＮＴＩ宛て上りリンクグラントを使用しても良い。また、図８のように、Ｃ−ＲＮＴＩ宛て上りリンクグラントとＣｏｍｐａｃｔ  ＤＣＩにより設定された上りリンクグラントが時間領域で重複する場合に、Ｃｏｍｐａｃｔ  ＤＣＩにより設定された上りリンクグラントのためのトラフィックがある場合は、Ｃ−ＲＮＴＩ宛て上りリンクグラントのためのトラフィックの有無にかかわらず、Ｃｏｍｐａｃｔ  ＤＣＩにより設定された上りリンクグラントを使用しても良い。
【０１２７】
一方、図７において、スロットｘのＰＤＣＣＨでＤＣＩフォーマット０＿０／０＿１により設定された上りリンクグラント（ＳＰＳ／グラントフリーアクセス  Ｔｙｐｅ２）のアクティベーションが通知され、スロットｘ＋１以降で各スロットに設定された上りリンクグラントが存在（１スロット周期の無線リソース割当）する場合について説明する。この場合、スロットｘ＋１において、ＤＣＩフォーマット０＿０／０＿１によりＣ−ＲＮＴＩ宛て上りリンクグラントの通知がされ、スロットｘ＋２とスロットｘ＋３にＣ−ＲＮＴＩ宛て上りリンクグラントが設定されている。その結果、スロットｘ＋２とスロットｘ＋３では、Ｃ−ＲＮＴＩ宛て上りリンクグラントとＤＣＩフォーマット０＿０／０＿１により設定された上りリンクグラントが時間領域で重複（少なくとも一部のＯＦＤＭシンボルで重複）している。Ｃ−ＲＮＴＩ宛て上りリンクグラントと設定された上りリンクグラントのいずれもＤＣＩフォーマット０＿０／０＿１で通知されているため、同一のＤＣＩフォーマットが使われている。この場合は、スケジューリングの種別により使用する上りリンクのグラントを決定しても良く、Ｃ−ＲＮＴＩ宛て上りリンクグラントが設定された上りリンクグラントをオーバライドしても良い。
【０１２８】
図７のように、Ｃ−ＲＮＴＩ宛て上りリンクグラントとＤＣＩフォーマット０＿０／０＿１により設定された上りリンクグラントが時間領域で重複（少なくとも一部のＯＦＤＭシンボルで重複）する場合に、ＤＣＩフォーマット０＿０／０＿１により設定された上りリンクグラントのためのトラフィックがあり、Ｃ−ＲＮＴＩ宛て上りリンクグラントのためのトラフィックがない場合はＤＣＩフォーマット０＿０／０＿１により設定された上りリンクグラントを使用しても良い。
【０１２９】
ここで、いずれの上りリンクグラントのためのトラフィックであるかは、ＱｏＳ（Quality of Service）によって決められても良く、例えば、QCI(QoS Class Indicator)の情報で決まっても良い。
【０１３０】
なお、本実施形態では、ＤＣＩフォーマットから使用する上りリンクグラントを決定したが、ＤＣＩフォーマットを検出したサーチスペースによって使用する上りリンクグラントを決定しても良いし、ＤＣＩフォーマットとサーチスペースの両方から使用する上りリンクグラントを決定しても良い。例えば、コモンサーチスペースで検出したＤＣＩフォーマットの上りリンクグラントのみ使用し、ユーザ固有サーチスペースで検出したＤＣＩフォーマットの上りリンクグラントを使用しないとしても良い。
【０１３１】
なお、本実施形態では、ＤＣＩフォーマット０＿０とＤＣＩフォーマット０＿１の上りリンクグラントは同一種別として説明していたが、ＤＣＩフォーマット０＿０とＤＣＩフォーマット０＿１の上りリンクグラントは異なる種別としても良い。例えば、上りリンクグラントを優先的に使用する順に、ＤＣＩフォーマット０＿ｃが最優先、次にＤＣＩフォーマット０＿０が優先、ＤＣＩフォーマット０＿１の優先度が最も低いとしても良い。また、ＤＣＩフォーマットのペイロードサイズが小さいほど優先度が高いとしてもよい。ここで、時間領域で重複する上りリンクグラントは、優先度の高い上りリンクグラントのみ使用するとしても良い。以下、優先されるとは、最も優先される上りリンクグラントのみ使用するとしても良いし、優先度の高い複数の上りリンクグラントのみ使用するとしても良い。
【０１３２】
なお、本実施形態では、１つのサービングセル（１つのコンポーネントキャリア）の場合について説明したが、キャリアアグリゲーションに適用しても良い。キャリアアグリゲーションの場合は、上述のＤＣＩフォーマットの優先度に加え、ＤＣＩフォーマットを検出したサービングセルの種別により、優先度が変わっても良い。例えば、同一の優先度のＤＣＩフォーマットを複数のサービングセルで検出し、複数の上りリンクグラントが時間領域で重複する場合、Ｐｃｅｌｌで検出したＤＣＩフォーマットの上りリンクグラントが最優先、ＰＳｃｅｌｌで検出したＤＣＩフォーマットの上りリンクグラントが次に優先され、Ｓｃｅｌｌ検出したＤＣＩフォーマットの上りリンクグラントの優先度が低くなっても良い。Ｄｕａｌ  Ｃｏｎｎｅｃｔｉｖｉｔｙ（ＤＣ）の場合はＰＣＧのサービングセルで検出したＤＣＩフォーマットの上りリンクグラントがＳＣＧのサービングセルで検出したＤＣＩフォーマットの上りリンクグラントより優先されても良い。ＳＵＬが使用できる場合は、ＳＵＬのキャリアで検出したＤＣＩフォーマットの上りリンクグラントがＳＵＬでないキャリアで検出したＤＣＩフォーマットの上りリンクグラントよりも優先されても良い。ＳＵＬは低い周波数のためカバレッジが広く、高信頼・低遅延の要求条件を満たしやすい。また、ＢＷＰが設定されている場合にも適用しても良く、サブキャリア間隔の広いＢＷＰで検出したＤＣＩフォーマットの上りリンクグラントがサブキャリア間隔の狭いＢＷＰで検出したＤＣＩフォーマットの上りリンクグラントよりも優先されても良い。
【０１３３】
なお、本実施形態は、上りリンクグラントを中心に説明したが、ＳＰＳとＣ−ＲＮＴＩ宛ての下りリンクグラントに適用しても良い。
【０１３４】
本実施形態では、高信頼性を満たすＤＣＩフォーマットを使用して通知された上りリンクグラントか否かによって、複数の上りリンクグラントが時間領域で重複する場合の優先度を決定する。その結果、基地局装置は上りリンクグラントを通知するＤＣＩフォーマットを使い分けることで、優先する上りリンクデータ送信を設定することができる。その結果、高信頼と低遅延が要求されるデータの要求条件を満たすことができる。
（第２の実施形態）
【０１３５】
本実施形態は、高信頼性を実現するために、ＤＣＩフォーマットを使ってアクティベーションがないＳＰＳ／グラントフリーアクセス  Ｔｙｐｅ１を使用する場合に、複数の上りリンクグラントが時間領域で重複する場合の優先度の決定方法について説明する。本実施形態に係る通信システムは、図３、図４、図５及び図６で説明した基地局装置１０及び端末装置２０で構成される。以下、第１の実施形態との相違点／追加点を主に説明する。
【０１３６】
前実施形態では、ＳＰＳ／グラントフリーアクセス  Ｔｙｐｅ２を使う場合であり、RRCシグナリングでSPS-configを受信後に、ＤＣＩフォーマットでアクティベーションする
ことで、設定された上りリンクグラント（周期的な無線リソース）が使用可能となった。一方、本実施形態のＳＰＳ／グラントフリーアクセス  Ｔｙｐｅ１は、RRCシグナリング
でSPS-configに加え、ｒｒｃＣｏｎｆｉｇｕｒｅｄＵｐｌｉｎｋＧｒａｎｔを受信時に設定された上りリンクグラント（周期的な無線リソース）が使用可能となる。ここで、Ｐｃｅｌｌの場合はSPS-configとｒｒｃＣｏｎｆｉｇｕｒｅｄＵｐｌｉｎｋＧｒａｎｔを受信時に設定された上りリンクグラントが使用でき、Ｓｃｅｌｌの場合はSPS-configとｒｒｃＣｏｎｆｉｇｕｒｅｄＵｐｌｉｎｋＧｒａｎｔの受信に加え、Ｓｃｅｌｌがアクティベーションされている場合に設定された上りリンクグラントが使用できる。また、ＢＷＰが設定されている場合、有効なＢＷＰに対するSPS-configとｒｒｃＣｏｎｆｉｇｕｒｅｄＵｐｌｉｎｋＧｒａｎｔを受信済みの場合に設定された上りリンクグラントが使用できる。
【０１３７】
本実施形態では、端末装置がSPS-configとｒｒｃＣｏｎｆｉｇｕｒｅｄＵｐｌｉｎｋＧｒａｎｔを受信し、上述の設定された上りリンクグラントが使用できる場合において、ＤＣＩフォーマット０＿０／０＿１によりＣ−ＲＮＴＩ宛て上りリンクグラントが通知された場合の上りリンクグラントの優先度の決定方法について説明する。従来は、設定された上りリンクグラントとＤＣＩフォーマット０＿０／０＿１によるＣ−ＲＮＴＩ宛て上りリンクグラントが時間領域で重複した場合はＣ−ＲＮＴＩ宛て上りリンクグラントが優先される。しかしながら、ＳＰＳ／グラントフリーアクセスの設定された上りリンクグラントで高信頼と低遅延が要求されるデータ（ＵＲＬＬＣのデータ）を送信し、ＤＣＩフォーマット０＿０／０＿１によるＣ−ＲＮＴＩ宛て上りリンクグラントで比較的高信頼と低遅延の要求が厳しくないデータを送信する場合であっても、設定された上りリンクグラントとＤＣＩフォーマット０＿０／０＿１によるＣ−ＲＮＴＩ宛て上りリンクグラントが時間領域で重複した場合は、高信頼と低遅延の要求条件に関わらず、ＤＣＩフォーマット０＿０／０＿１によるＣ−ＲＮＴＩ宛て上りリンクグラントが優先されること意味する。
【０１３８】
そこで、本実施形態では、複数の上りリンクグラントが時間領域で重複した場合の優先度を設定する。ＳＰＳ／グラントフリーアクセス  Ｔｙｐｅ１では、アクティベーションのＤＣＩフォーマットの通知がないため、ＲＲＣシグナリングのｒｒｃＣｏｎｆｉｇｕｒｅｄＵｐｌｉｎｋＧｒａｎｔの一部のフィールドの情報と関連付けて通知する。ｒｒｃＣｏｎｆｉｇｕｒｅｄＵｐｌｉｎｋＧｒａｎｔには時間領域のリソース割当、時間領域のオフセット、周波数領域のリソース割当、ＤＭＲＳの設定、ＭＣＳとトランスポートブロックサイズ（ｍｃｓＡｎｄＴＢＳ）、同一データの繰り返し送信回数（ｒｅｐＫ）が含まれても良い。
【０１３９】
ＳＰＳ／グラントフリーアクセス  Ｔｙｐｅ１の設定された上りリンクグラントとＤＣＩフォーマット０＿０／０＿１によるＣ−ＲＮＴＩ宛て上りリンクグラントが時間領域で重複した場合は、以下の条件の場合にＳＰＳ／グラントフリーアクセス  Ｔｙｐｅ１の設定された上りリンクグラントを優先しても良い。
【０１４０】
時間領域のリソース割当が所定のＯＦＤＭシンボル数以下であれば、上りリンクグラントを優先しても良い。時間領域のリソース割当に含まれるデータ送信に使われるＯＦＤＭシンボルの開始位置が所定値より小さければ上りリンクグラントを優先しても良い。所定
のＯＦＤＭシンボル数とＯＦＤＭシンボルの開始位置の所定の値は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４１】
時間領域のオフセットが所定の値以下であれば、上りリンクグラントを優先しても良い。所定の値は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。ダイナミックな送信電力制御の切り替えインディケータの所定の条件の例は、ＤＣＩフォーマットを検出するサーチスペースの一部の設定がＲＲＣでセットアップされ、設定された条件でＤＣＩフォーマットを検出時としても良い。具体的には、ＣＳＳもしくはＵＳＳのいずれかを指定する、所定のアグリゲーションレベル（アグリゲーションレベル４以上または８以上）を指定するなどである。これは、高いアグリゲーションレベルを指定することで、上りリンクグラントが低い符号化率で送信される場合に限定することを意味し、ＰＤＣＣＨの上りリンクグラントとＰＵＳＣＨのデータの高信頼性を満たすことができる。
【０１４２】
周波数領域のリソース割当に含まれるリソースブロック数が所定の値以下であれば、上りリンクグラントを優先しても良い。所定の値は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４３】
ＤＭＲＳの設定が所定の設定の場合に、上りリンクグラントを優先しても良い。所定の設定は予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４４】
ＭＣＳとトランスポートブロックサイズが所定の設定（例えば、低い変調多値数。低い符号化率、変調多値数と符号化率から決まる周波数利用効率が低い、トランスポートブロックサイズが小さい）の場合に、上りリンクグラントを優先しても良い。所定の設定は予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４５】
同一データの繰り返し送信回数（ｒｅｐＫ）が所定の値より大きい場合に、上りリンクグラントを優先しても良い。所定の値は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４６】
ＳＰＳ／グラントフリーアクセスの周期（Ｐｅｒｉｏｄｉｃｉｔｙ）が所定の周期より短い場合に、上りリンクグラントを優先しても良い。所定の周期、予め決められていても良いし、上位層の制御情報で通知されても良い。例えば、ＲＲＣシグナリングで、ＳＰＳ
−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４７】
ＨＡＲＱプロセス数が所定の値より小さい場合に、上りリンクグラントを優先しても良い。所定の値は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４８】
送信電力の設定（ＳＰＳの目標受信電力）が所定の値より大きい場合に、上りリンクグラントを優先しても良い。所定の値は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１４９】
トランスフォームプレコーダ（ＴｒａｎｓｆｏｒｍＰｒｅｃｏｄｅｒ）が所定の設定の場合に、上りリンクグラントを優先しても良い。所定の設定は、予め決められていても良いし、上位層の制御情報で通知されても良い。例えば、ＲＲＣシグナリングで、ＳＰＳ−ｃｏｎｆｉｇの設定内のフィールドとして通知しても良いし、ｒｒｃＣｏｎｆｉｇｕｒｅｄＵｐｌｉｎｋＧｒａｎｔの設定内のフィールドとして通知しても良いし、その他の設定内のフィールドとして通知しても良い。
【０１５０】
なお、本実施形態は、ＳＰＳ−ｃｏｎｆｉｇもしくはｒｒｃＣｏｎｆｉｇｕｒｅｄＵｐｌｉｎｋＧｒａｎｔの設定内のフィールドと関連付けて上りリンクグラントの優先度を設定する例について説明したが、ＳＰＳ−ｃｏｎｆｉｇもしくはｒｒｃＣｏｎｆｉｇｕｒｅｄＵｐｌｉｎｋＧｒａｎｔのいずれかに優先度を設定するフィールドを用意し、優先度のフィールドに基づいて上りリンクグラントの優先度が決まっても良い。また、優先度は、３つ以上の優先度を設定しても良い。
【０１５１】
本実施形態では、ＳＰＳ／グラントフリーアクセス  Ｔｙｐｅ１の設定情報に関連付いて、複数の上りリンクグラントが時間領域で重複する場合の優先度を決定する。その結果、基地局装置はＳＰＳ／グラントフリーアクセス  Ｔｙｐｅ１の設定情報をを使い分けることで、優先する上りリンクデータ送信を設定することができる。その結果、高信頼と低遅延が要求されるデータの要求条件を満たすことができる。
（第３の実施形態）
【０１５２】
本実施形態は、複数のＣ−ＲＮＴＩ宛て上りリンクグラントが時間領域で重複する場合の優先度の決定方法について説明する。本実施形態に係る通信システムは、図３、図４、図５及び図６で説明した基地局装置１０及び端末装置２０で構成される。以下、第１の実施形態との相違点／追加点を主に説明する。
【０１５３】
本実施形態では、ＤＣＩフォーマット０＿０／０＿１によるＣ−ＲＮＴＩ宛て上りリンクグラントとＤＣＩフォーマット０＿ｃによるＣ−ＲＮＴＩ宛て上りリンクグラントが時間領域で重複する場合の上りリンクグラントの優先度の決定方法について説明する。
【０１５４】
図９に、第３の実施形態に係る上りリンクグラントの通知の一例を示す。同図では、スロットｘのＰＤＣＣＨでＤＣＩフォーマット０＿０／０＿１によりＣ−ＲＮＴＩ宛て上りリンクグラントの通知がされ、スロットｘ＋１〜ｘ＋３が割り当てられる例である。次に
、スロットｘ＋１において、ｃｏｍｐａｃｔ  ＤＣＩによりＣ−ＲＮＴＩ宛て上りリンクグラントの通知がされ、スロットｘ＋２割り当てられる。この場合、スロットｘ＋２では、ＤＣＩフォーマット０＿０／０＿１によるＣ−ＲＮＴＩ宛て上りリンクグラントとＣｏｍｐａｃｔ  ＤＣＩによるＣ−ＲＮＴＩ宛て上りリンクグラントが時間領域で重複（少なくとも一部のＯＦＤＭシンボルで重複）している。この場合、データ伝送は、Ｃｏｍｐａｃｔ  ＤＣＩにより設定された上りリンクグラントを優先しても良い。これは、ダイナミックスケジューリングとＳＰＳというようなスケジューリングの種別に関わらず、前実施形態で述べた通り、高信頼性を満たせるＣｏｍｐａｃｔ  ＤＣＩを使って設定された上りリンクグラントを優先することを意味している。このように複数のＣ−ＲＮＴＩ宛て上りリンクグラントが時間領域で重複した場合、Ｃｏｍｐａｃｔ  ＤＣＩを使って通知された上りリンクグラントを優先しても良い。
【０１５５】
なお、本実施形態では、ＤＣＩフォーマットから上りリンクグラントの優先度を決定したが、ＤＣＩフォーマットを検出したサーチスペースによって優先度を決定しても良いし、ＤＣＩフォーマットとサーチスペースの両方から優先度を決定しても良い。例えば、コモンサーチスペースで検出したＤＣＩフォーマットの上りリンクグラントを優先し、ユーザ固有サーチスペースで検出したＤＣＩフォーマットの上りリンクグラントを優先しないとしても良い。
【０１５６】
なお、本実施形態では、ＤＣＩフォーマット０＿０とＤＣＩフォーマット０＿１の上りリンクグラントの優先度は同一として説明していたが、ＤＣＩフォーマット０＿０とＤＣＩフォーマット０＿１の上りリンクグラントの優先度は異なっても良い。例えば、上りリンクグラントの優先度が高い順に、ＤＣＩフォーマット０＿ｃが最優先、次にＤＣＩフォーマット０＿０が優先、ＤＣＩフォーマット０＿１の優先度が最も低いとしても良い。また、ＤＣＩフォーマットのペイロードサイズが小さいほど優先度が高いとしてもよい。
【０１５７】
なお、本実施形態では、１つのサービングセル（１つのコンポーネントキャリア）の場合について説明したが、キャリアアグリゲーションに適用しても良い。キャリアアグリゲーションの場合は、上述のＤＣＩフォーマットの優先度に加え、ＤＣＩフォーマットを検出したサービングセルの種別により、優先度が変わっても良い。例えば、同一の優先度のＤＣＩフォーマットを複数のサービングセルで検出し、複数の上りリンクグラントが時間領域で重複する場合、Ｐｃｅｌｌで検出したＤＣＩフォーマットの上りリンクグラントが最優先、ＰＳｃｅｌｌで検出したＤＣＩフォーマットの上りリンクグラントが次に優先され、Ｓｃｅｌｌ検出したＤＣＩフォーマットの上りリンクグラントの優先度が低くなっても良い。Ｄｕａｌ  Ｃｏｎｎｅｃｔｉｖｉｔｙ（ＤＣ）の場合はＰＣＧのサービングセルで検出したＤＣＩフォーマットの上りリンクグラントがＳＣＧのサービングセルで検出したＤＣＩフォーマットの上りリンクグラントより優先されても良い。ＳＵＬが使用できる場合は、ＳＵＬのキャリアで検出したＤＣＩフォーマットの上りリンクグラントがＳＵＬでないキャリアで検出したＤＣＩフォーマットの上りリンクグラントよりも優先されても良い。ＳＵＬは低い周波数のためカバレッジが広く、高信頼・低遅延の要求条件を満たしやすい。また、ＢＷＰが設定されている場合にも適用しても良く、サブキャリア間隔の広いＢＷＰで検出したＤＣＩフォーマットの上りリンクグラントがサブキャリア間隔の狭いＢＷＰで検出したＤＣＩフォーマットの上りリンクグラントよりも優先されても良い。
【０１５８】
なお、本実施形態は、上りリンクグラントを中心に説明したが、Ｃ−ＲＮＴＩ宛ての下りリンクグラントに適用しても良い。
【０１５９】
本実施形態では、高信頼性を満たすＤＣＩフォーマットを使用して通知された上りリンクグラントか否かによって、複数の上りリンクグラントが時間領域で重複する場合の優先度を決定する。その結果、基地局装置は上りリンクグラントを通知するＤＣＩフォーマッ
トを使い分けることで、優先する上りリンクデータ送信を設定することができる。その結果、高信頼と低遅延が要求されるデータの要求条件を満たすことができる。
【０１６０】
第１の実施形態から第３の実施形態の全実施形態において、優先される上りリンクグラントと優先されない上りリンクグラントが存在する。優先されない上りリンクグラントは、優先される上りリンクグラントのデータ送信を行うスロットにおいて、優先される上りリンクグラントで使用しないＯＦＤＭシンボルではデータ送信を行っても良い。また、優先されない上りリンクグラントは、優先される上りリンクグラントのデータ送信を行うスロットにおいて、優先される上りリンクグラントで使用しないＯＦＤＭシンボルの数が所定の値以上の場合に優先されない上りリンクグラントのデータ送信を行い、前記ＯＦＤＭシンボルの数が所定の値より小さい場合はドロップしても良い。所定の値は、予め決められていても良いし、上位層の制御信号（ＲＲＣシグナリング）で通知されてもよい。また、優先されない上りリンクグラントのデータ送信を行うか否かは、所定の符号化率を満たせるかによって決めても良い。例えば、符号化率が１を超える場合は、データ送信を行わない、もしくは中断するとしても良い。また、優先されない上りリンクグラントのデータ送信開始後に、優先される上りリンクグラントと時間領域で重複することの通知を受信した場合、所定のＯＦＤＭシンボル数もしくは所定の符号化率を満たせるかで、送信を中断するか、優先される上りリンクグラントで使用しないＯＦＤＭシンボルを除き、データ送信を継続するかが決まっても良い。ここで、優先される上りリンクグラントは、スロットの先頭のＯＦＤＭシンボルではなく、スロット中央のＯＦＤＭシンボル（例えば７番目、８番目のＯＦＤＭシンボル）でＤＣＩフォーマットにより通知されても良い。
【０１６１】
なお、本明細書の実施形態は、複数の実施形態を組み合わせて適用しても良いし、各実施形態のみを適用しても良い。
【０１６２】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１６３】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１６４】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１６５】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１６６】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１６７】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１６８】
本発明は、基地局装置、端末装置および通信方法に用いて好適である。
【符号の説明】
【０１６９】
１０  基地局装置
２０−１〜２０−ｎ１  端末装置
１０ａ  基地局装置１０が端末装置と接続可能な範囲
１０２  上位層処理部
１０４  送信部
１０６  送信アンテナ
１０８  制御部
１１０  受信アンテナ
１１２  受信部
１０４０  符号化部
１０４２  変調部
１０４３  多元接続処理部
１０４４  多重部
１０４６  上りリンク制御信号生成部
１０４８  上りリンク参照信号生成部
１０４９  ＩＦＦＴ部
１０５０  無線送信部
１１２０  無線受信部
１１２１  ＦＦＴ部
１１２２  伝搬路推定部
１１２４  多重分離部
１１２６  信号検出部
１５０４  等化部
１５０６−１〜１５０６−ｃ  多元接続信号分離部
１５１０−１〜１５１０−ｃ  復調部
１５１２−１〜１５１２−ｃ  復号部
２０２  受信アンテナ
２０４  受信部
２０６  上位層処理部
２０８  制御部
２１０  送信部
２１２  送信アンテナ
２１００  符号化部
２１０２  変調部
２１０６  多元接続処理部
２１０８  多重部
２１０９  ＩＦＦＴ部
２１１０  無線送信部
２１１２  下りリンク参照信号生成部
２１１３  下りリンク制御信号生成部
２０４０  無線受信部
２０４１  ＦＦＴ部
２０４２  多重分離部
２０４３  伝搬路推定部
２０４４  信号検出部
２５０４  等化部
２５０６−１〜２５０６−ｕ  多元接続信号分離部
２５０８−１〜２５０８−ｕ  ＩＤＦＴ部
２５１０−１〜２５１０−ｕ  復調部
２５１２−１〜２５１２−ｕ  復号部
【図１】
2019186675.tif 000003
【図２】
2019186675.tif 000004
【図３】
2019186675.tif 000005
【図４】
2019186675.tif 000006
【図５】
2019186675.tif 000007
【図６】
2019186675.tif 000008
【図７】
2019186675.tif 000009
【図８】
2019186675.tif 000010
【図９】
2019186675.tif 000011